【手続補正書】
【提出日】平成27年11月20日(2015.11.20)
【手続補正１】
【補正対象書類名】明細書
【補正対象項目名】全文
【補正方法】変更
【補正の内容】
【発明の詳細な説明】
【発明の名称】目標機能のスターティング方法、装置、システム、プログラム及び記録媒体
【技術分野】
【０００１】
本発明は、通信技術分野に関し、より詳細には、目標機能のスターティング方法、装置、システム、プログラム及び記録媒体に関する。
【背景技術】
【０００２】
電子技術の絶え間ない発展につれて、電子技術による電子機器の応用もますます広くなっている。前記電子機器は、例えば、スマートカメラ、スマートコンセントなどを含む。前記電子機器は、一般的に、それぞれ一定の機能を備える。例えば、スマートカメラはトークバック機能を備え、ユーザーは、端末（例えば、携帯電話）にインストールされたアプリケーションプログラム（Ａｐｐｌｉｃａｔｉｏｎ、Ａｐｐと略称する）を介して、スマートカメラをユーザーＩＤにバインディングさせて、スマートカメラのユーザーが端末のユーザーと音声トークバックを行うことができる。
【０００３】
関連技術では、スマートカメラがユーザーＩＤにバインディングされる場合、ユーザーは端末ＡｐｐでユーザーＩＤにログインすると、Ａｐｐの表示インターフェースにスマートカメラの機器識別子が表示され、ユーザーは、前記スマートカメラの機器識別子をクリックして端末をトリガーさせ、スマートカメラの制御インターフェースに入らせることができる。前記制御インターフェースには、スマートカメラが撮影したリアルタイム録画が表示されるので、ユーザーは端末でスマートカメラが撮影したリアルタイム録画を閲覧することができる。また、前記制御インターフェースには、「マイク」ボタンがさらに表示されることができ、ユーザーは前記「マイク」ボタンを操作して端末をトリガーさせ、スマートカメラのトークバック機能をスターティングすることができる。
【発明の概要】
【発明が解決しようとする課題】
【０００４】
本発明は、目標機能のスターティング過程を簡素化する有益な効果を実現するために目標機能のスターティング方法、装置、システム、プログラム及び記録媒体を提供する。その技術案は下記の通りである。
【課題を解決するための手段】
【０００５】
本発明の第１の態様によれば、目標機能のスターティング方法が提供され、前記方法は、
目標機能に関連するプリセットトリガー命令を受信するステップと、
前記プリセットトリガー命令によって前記目標機能のトリガーボタンを表示するステップと、
前記目標機能のトリガーボタンをトリガーして生成されるスターティング命令を受信するステップと、
前記スターティング命令によって前記目標機能をスターティングするステップと、を含む。
【０００６】
好ましくは、前記目標機能に関連するプリセットトリガー命令を受信するステップは、
端末のスクリーンに対する、プリセットグリップジェスチャー命令及びプリセットボタン操作命令のうちいずれか一つを含むウェイクアップ命令を受信するステップと、
前記ウェイクアップ命令によって前記端末のスクリーンをウェイクアップさせながら、スクリーンロックインターフェースを表示するステップと、
前記スクリーンロックインターフェースにおいて、前記目標機能に関連するプリセットトリガー命令を受信するステップと、を含み、
前記プリセットグリップジェスチャー命令は、プリセットグリップジェスチャーで、前記端末をグリップすることにより生成される命令であり、前記プリセットボタン操作命令は、プリセットタッチジェスチャーで、前記端末のウェイクアップボタンをトリガーすることにより生成される命令である。
【０００７】
好ましくは、前記プリセットトリガー命令によって前記目標機能のトリガーボタンを表示するステップは、
前記目標機能を備える目標機器に関連するクライアントでログインするユーザーＩＤを取得するステップと、
サーバーから前記ユーザーＩＤとバインディングされる目標機器の目標機能の表示情報を取得するステップと、
前記目標機能の表示情報によって前記目標機能のトリガーボタンを表示するステップと、を含む。
【０００８】
好ましくは、前記サーバーから前記ユーザーＩＤとバインディングされる目標機器の目標機能の表示情報を取得するステップは、
前記ユーザーＩＤによって、代替機能集合中の各機能の機能表示情報を確定する前記サーバーに前記ユーザーＩＤを送信するステップと、
前記サーバーが送信する前記代替機能集合中の各機能の機能表示情報を受信するステップと、を含み、
前記代替機能集合は、前記ユーザーＩＤとバインディングされる機器が備える機能の集合であり、前記代替機能集合は前記目標機器の目標機能を含み、
前記目標機能の表示情報によって、前記目標機能のトリガーボタンを表示するステップは、
前記代替機能集合中の各機能の機能表示情報によって、前記代替機能集合中の各機能のトリガーボタンを表示するステップを含む。
【０００９】
好ましくは、前記サーバーから前記ユーザーＩＤとバインディングされる目標機器の目標機能の表示情報を取得するステップは、
事前に記憶なれたトリガー命令と機器の機能識別子との対応関係を照会して、前記プリセットトリガー命令に対応する機器の機能識別子を、前記目標機器の機器識別子及び前記目標機能の識別子を含む目標識別子とするステップと、
前記ユーザーＩＤによって前記ユーザーＩＤに対応する関係リストを確定する前記サーバーに、前記ユーザーＩＤ及び前記目標識別子を送信するステップと、
前記サーバーが送信する、前記目標識別子に対応する目標機能の表示情報を受信するステップと、含み、
前記関係リストは、事前に確立された機器の機能識別子と機能表示情報との対応関係を記録し、
前記目標識別子に対応する目標機能の表示情報は、前記サーバーが前記関係リストを照会して確定されるものである。
【００１０】
好ましくは、前記サーバーから前記ユーザーＩＤとバインディングされる目標機器の目標機能の表示情報を取得するステップは、
事前に記憶なれたトリガー命令と機器識別子との対応関係を照会して、前記プリセットトリガー命令に対応する機器識別子を前記目標機器の機器識別子とするステップと、
前記ユーザーＩＤによって前記ユーザーＩＤに対応する関係リストを確定する前記サーバーに、前記ユーザーＩＤ及び前記目標機器の機器識別子を送信するステップと、
前記サーバーが送信する、前記目標機器の機器識別子に対応する機能表示情報を受信するステップと、を含み、
前記関係リストは、事前に確立された機器識別子と機能表示情報との対応関係を記録し、
前記目標機器の機器識別子に対応する機能表示情報は、前記サーバーが前記関係リストを照会して確定されるものであり、
前記目標機能の表示情報によって、前記目標機能のトリガーボタンを表示するステップは、
前記目標機器の機器識別子に対応する機能表示情報によって、前記目標機器の機器識別子に対応する機能のトリガーボタンを表示するステップを含み、前記目標機器の機器識別子に対応する機能のトリガーボタンは前記目標機能のトリガーボタンを含む。
【００１１】
好ましくは、前記サーバーから前記ユーザーＩＤとバインディングされる目標機器の目標機能の表示情報を取得するステップは、
前記ユーザーＩＤによって前記ユーザーＩＤとバインディングされる機器の機器識別子リストを確定する前記サーバーに、前記ユーザーＩＤを送信するステップと、
前記サーバーが送信する、前記ユーザーＩＤとバインディングされる機器の機器識別子リストを受信するステップと、を含み、
前記機器識別子リストには、前記目標機器の機器識別子及び前記目標機能の表示情報が含まれ、
前記目標機能の表示情報によって、前記目標機能のトリガーボタンを表示するステップは、前記目標識別子リストを表示するステップを含み、ここで、前記目標機能の表示情報は、前記目標機能のトリガーボタンの形式で表示される。
【００１２】
好ましくは、前記サーバーから前記ユーザーＩＤとバインディングされる目標機器の目標機能の表示情報を取得するステップは、
前記ユーザーＩＤによって前記ユーザーＩＤとバインディングされる機器の機器識別子リストを確定する前記サーバーに、前記ユーザーＩＤを送信するステップと、
前記サーバーが送信する、前記ユーザーＩＤとバインディングされる機器の機器識別子リストを受信するステップと、
前記機器識別子リストを表示するステップと、
前記目標機器の機器識別子をトリガーして生成されるタッチ命令を受信するステップと、
前記タッチ命令によって前記目標機器の機器識別子に対応する制御インターフェースの表示情報を確定するサーバーに、前記タッチ命令を送信するステップと、
前記サーバーが送信する前記制御インターフェースの表示情報を受信するステップと、を含み、
前記機器識別子のリストには、前記目標機器の機器識別子が含まれ、
前記制御インターフェースの表示情報には、前記目標機能の表示情報が含まれ、
前記目標機能の表示情報によって、前記目標機能のトリガーボタンを表示するステップは、
前記制御インターフェースの表示情報によって、前記目標機能のトリガーボタンを含む前記制御インターフェースを表示するステップを含む。
【００１３】
好ましくは、前記目標機器はカメラであり、前記目標機能はトークバック機能である。
【００１４】
本発明の第２の態様によれば、目標機能のスターティング方法が提供され、前記方式は、
端末が送信するユーザーＩＤを受信するステップと、
前記ユーザーＩＤとバインディングされる目標機器の目標機能の表示情報を取得するステップと、
前記端末に前記目標機能の表示情報を送信するステップと、を含み、
前記ユーザーＩＤは、前記端末が目標機能に関連するプリセットトリガー命令を受信した後送信するものであり、前記ユーザーＩＤは目標機器に関連するクライアントでログインするユーザーＩＤであり、前記目標機器は前記目標機能を備え、
前記端末は、前記目標機能の表示情報によって目標機能のトリガーボタンを表示し、前記目標機能のトリガーボタンをトリガーして生成されるスターティング命令によって前記目標機能をスターティングする。
【００１５】
好ましくは、前記ユーザーＩＤとバインディングされる目標機器の目標機能の表示情報を取得するステップは、
前記ユーザーＩＤによって代替機能集合中の各機能の表示情報を確定するステップを含み、前記代替機能集合は、前記ユーザーＩＤとバインディングされる機器が備える機能の集合であり、前記代替機能集合は前記目標機器の目標機能を含み、
前記端末に前記目標機能の表示情報を送信するステップは、
前記代替機能集合中の各機能の機能表示情報によって、前記代替機能集合中の各機能のトリガーボタンを表示する前記端末に、前記代替機能集合中の各機能の表示情報を送信するステップを含む。
【００１６】
好ましくは、前記ユーザーＩＤとバインディングされる目標機器の目標機能の表示情報を取得するステップは、
前記端末が送信する前記ユーザーＩＤ及び目標識別子を受信するステップと、
前記ユーザーＩＤによって前記ユーザーＩＤに対応する関係リストを確定するステップと、
前記関係リストを照会して、前記目標識別子に対応する目標機能の表示情報を確定するステップと、を含み、
前記目標識別子は、前記端末が前記プリセットトリガー命令によって、事前に記憶なれたトリガー命令と機器の機能識別子との対応関係を照会して取得したものであり、前記目標識別子は、前記目標機器の機器識別子及び前記目標機能の識別子を含み、
前記関係リストは、事前に確立された機器の機能識別子と機能表示情報との対応関係を記録する。
【００１７】
好ましくは、前記ユーザーＩＤとバインディングされる目標機器の目標機能の表示情報を取得するステップは、
前記端末が送信する前記ユーザーＩＤ及び前記目標機器の機器識別子を受信するステップと、
前記ユーザーＩＤによって前記ユーザーＩＤに対応する関係リストを確定するステップと、
前記関係リストを照会して、前記目標機器の機器識別子に対応する機能表示情報を確定するステップと、を含み、
前記目標機器の機器識別子は、前記端末が前記プリセットトリガー命令によって、事前に記憶なれたトリガー命令と機器識別子との対応関係を照会して取得したものであり、
前記関係リストは、事前に確立された機器識別子と機能表示情報との対応関係を記録し、
前記端末に前記目標機能の表示情報を送信するステップは、
前記目標機器の機器識別子に対応する機能表示情報によって、前記目標機器の機器識別子に対応する機能のトリガーボタンを表示する前記端末に、前記目標機器の機器識別子に対応する機能表示情報を送信するステップを含み、前記目標機器の機器識別子に対応する機能のトリガーボタンは、前記目標機能のトリガーボタンを含む。
【００１８】
好ましくは、前記ユーザーＩＤとバインディングされる目標機器の目標機能の表示情報を取得するステップは、
前記ユーザーＩＤによって前記ユーザーＩＤとバインディングされる機器の機器識別子リストを確定するステップを含み、前記機器識別子リストには、前記目標機器の機器識別子及び前記目標機能の表示情報が含まれ、
前記端末に前記目標機能の表示情報を送信するステップは、
前記機器識別子リストを表示する前記端末に前記ユーザーＩＤとバインディングされる機器の機器識別子リストを送信するステップを含み、ここで、前記目標機能の表示情報は、前記目標機能のトリガーボタンの形式で表示される。
【００１９】
好ましくは、前記ユーザーＩＤとバインディングされる目標機器の目標機能の表示情報を取得するステップは、
前記ユーザーＩＤによって前記ユーザーＩＤとバインディングされる機器の機器識別子リストを確定するステップと、
前記機器識別子リストを表示し、前記目標機器の機器識別子をトリガーして生成されるタッチ命令を受信する前記端末に、前記機器識別子リストを送信するステップと、
前記端末が送信する前記タッチ命令を受信するステップと、
前記タッチ命令によって前記目標機器の機器識別子に対応する制御インターフェースの表示情報を確定するステップと、を含み、
前記機器識別子リストには、前記目標機器の機器識別子が含まれ、
前記制御インターフェースの表示情報には、目標機能の表示情報が含まれ、
前記端末に前記目標機能の表示情報を送信するステップは、
前記制御インターフェースの表示情報によって、前記制御インターフェースを表示する前記端末に、前記制御インターフェースの表示情報を送信するステップを含み、前記制御インターフェースは、前記目標機能のトリガーボタンを含む。
【００２０】
好ましくは、前記目標機器はカメラであり、前記目標機能はトークバック機能である。
【００２１】
本発明の第３の態様によれば、目標機能のスターティング装置が提供され、前記装置は、
目標機能に関連するプリセットトリガー命令を受信するように構成される第１の受信モジュールと、
前記プリセットトリガー命令によって前記目標機能のトリガーボタンを表示するように構成される表示モジュールと、
前記目標機能のトリガーボタンをトリガーして生成されるスターティング命令を受信するように構成される第２の受信モジュールと、
前記スターティング命令によって前記目標機能をスターティングするように構成されるスターティングモジュールと、を含む。
【００２２】
好ましくは、前記第１の受信モジュールは、端末のスクリーンに対する、プリセットグリップジェスチャー命令及びプリセットボタン操作命令のうちいずれか一つを含むウェイクアップ命令を受信し、前記ウェイクアップ命令によって前記端末のスクリーンをウェイクアップさせながらスクリーンロックインターフェースを表示し、前記スクリーンロックインターフェースにおいて、前記目標機能に関連するプリセットトリガー命令を受信するように構成され、
前記プリセットグリップジェスチャー命令は、プリセットグリップジェスチャーで、前記端末をグリップすることにより生成される命令であり、前記プリセットボタン操作命令は、プリセットタッチジェスチャーで、前記端末のウェイクアップボタンをトリガーすることにより生成される命令である。
【００２３】
好ましくは、前記表示モジュールは、
前記目標機能を備える目標機器に関連するクライアントでログインするユーザーＩＤを取得するように構成される第１の取得サブモジュールと、
サーバーから前記ユーザーＩＤとバインディングされる目標機器の目標機能の表示情報を取得するように構成される第２の取得サブモジュールと、
前記目標機能の表示情報によって、前記目標機能のトリガーボタンを表示するように構成される表示サブモジュールを含む。
【００２４】
好ましくは、前記第２の取得サブモジュールは、前記ユーザーＩＤによって、代替機能集合中の各機能の機能表示情報を確定する前記サーバーに、前記ユーザーＩＤを送信し、前記サーバーが送信する前記代替機能集合中各機能の機能表示情報を受信するように構成され、前記代替機能集合は、前記ユーザーＩＤとバインディングされる機器が備える機能の集合であり、前記代替機能集合は前記目標機器の目標機能を含み、
前記表示サブモジュールは、前記代替機能集合中の各機能の機能表示情報によって、前記代替機能集合中の各機能のトリガーボタンを表示するように構成される。
【００２５】
好ましくは、前記第２の取得サブモジュールは、事前に記憶されたトリガー命令と機器の機能識別子との対応関係を照会して、前記プリセットトリガー命令に対応する機器の機能識別子を、前記目標機器の機器識別子及び前記目標機能の識別子を含む目標識別子とされ、前記ユーザーＩＤによって前記ユーザーＩＤに対応する関係リストを確定する前記サーバーに、前記ユーザーＩＤ及び前記目標識別子を送信し、前記サーバーが送信する前記目標識別子に対応する目標機能の表示情報を受信するように構成され、前記関係リストは、事前に確立された機器の機能識別子と機能表示情報との対応関係を記録し、前記目標識別子に対応する目標機能の表示情報は、前記サーバーが前記関係リストを照会して確定されるものである。
【００２６】
好ましくは、前記第２の取得サブモジュールは、事前に記憶されたトリガー命令と機器識別子との対応関係を照会して、前記プリセットトリガー命令に対応する機器識別子を前記目標機器の機器識別子とし、前記ユーザーＩＤによって前記ユーザーＩＤに対応する関係リストを確定する前記サーバーに、前記ユーザーＩＤ及び前記目標機器の機器識別子を送信し、前記サーバーが送信する前記目標機器の機器識別子に対応する機能表示情報を受信するように構成され、前記関係リストは、事前に確立された機器識別子と機能表示情報との対応関係を記録し、前記目標機器の機器識別子に対応する機能表示情報は、前記サーバーが前記関係リストを照会して確定されるものであり、
前記表示サブモジュールは、前記目標機器の機器識別子に対応する機能表示情報によって、前記目標機器の機器識別子に対応する機能のトリガーボタンを表示するように構成され、前記目標機器の機器識別子に対応する機能のトリガーボタンは、前記目標機能のトリガーボタンを含む。
【００２７】
好ましくは、前記第２の取得サブモジュールは、前記ユーザーＩＤによって前記ユーザーＩＤとバインディングされる機器の機器識別子リストを確定する前記サーバーに前記ユーザーＩＤを送信し、前記サーバーが送信する前記ユーザーＩＤとバインディングされる機器の機器識別子リストを受信するように構成され、前記機器識別子リストには、前記目標機器の機器識別子及び前記目標機能の表示情報が含まれ、
前記表示サブモジュールは、前記目標識別子リストを表示するように構成され、ここで、前記目標機能の表示情報は、前記目標機能のトリガーボタンの形式で表示される。
【００２８】
好ましくは、前記第２の取得サブモジュールは、前記ユーザーＩＤによって前記ユーザーＩＤとバインディングされる機器の機器識別子リストを確定する前記サーバーに前記ユーザーＩＤを送信し、前記サーバーが送信する前記ユーザーＩＤとバインディングされる機器の機器識別子リストを受信して、前記機器識別子リストを表示し、前記目標機器の機器識別子をトリガーして生成されるタッチ命令を受信して、前記タッチ命令によって前記目標機器の機器識別子に対応する制御インターフェースの表示情報を確定するサーバーに、前記タッチ命令を送信するように構成され、前記機器識別子のリストには、前記目標機器の機器識別子が含まれ、前記制御インターフェースの表示情報には、前記目標機能の表示情報が含まれ、
前記表示サブモジュールは、前記制御インターフェースの表示情報によって、前記目標機能のトリガーボタンを含む前記制御インターフェースを表示するように構成される。
【００２９】
好ましくは、前記目標機器はカメラであり、前記目標機能はトークバック機能である。
【００３０】
本発明の第４の態様によれば、目標機能のスターティング装置が提供され、前記装置は、
端末が送信するユーザーＩＤを受信するように構成される受信モジュールと、
前記ユーザーＩＤとバインディングされる目標機器の目標機能の表示情報を取得するように構成される取得モジュールと、
前記端末に前記目標機能の表示情報を送信するように構成される送信モジュールと、を含み、
前記ユーザーＩＤは、前記端末が目標機能に関連するプリセットトリガー命令を受信した後送信するものであり、前記ユーザーＩＤは目標機器に関連するクライアントでログインするユーザーＩＤであり、前記目標機器は前記目標機能を備え、
前記端末は、前記目標機能の表示情報によって目標機能のトリガーボタンを表示し、前記目標機能のトリガーボタンをトリガーして生成されるスターティング命令によって前記目標機能をスターティングする。
【００３１】
好ましくは、前記取得モジュールは、前記ユーザーＩＤによって、代替機能集合中の各機能の表示情報を確定するように構成され、前記代替機能集合は、前記ユーザーＩＤとバインディングされる機器が備える機能の集合であり、前記代替機能集合は前記目標機器の目標機能を含み、
前記送信モジュールは、前記代替機能集合中の各機能の機能表示情報によって、前記代替機能集合中の各機能のトリガーボタンを表示する前記端末に、前記代替機能集合中の各機能の表示情報を送信するように構成される。
【００３２】
好ましくは、前記取得モジュールは、前記端末が送信する前記ユーザーＩＤ及び目標識別子を受信し、前記ユーザーＩＤによって前記ユーザーＩＤに対応する関係リストを確定し、前記関係リストを照会して前記目標識別子に対応する目標機能の表示情報を確定するように構成され、前記目標識別子は、前記端末が前記プリセットトリガー命令によって、事前に記憶なれたトリガー命令と機器の機能識別子との対応関係を照会して取得したものであり、前記目標識別子は、前記目標機器の機器識別子及び前記目標機能の識別子を含み、前記関係リストは、事前に確立された機器の機能識別子と機能表示情報との対応関係を記録する。
【００３３】
好ましくは、前記取得モジュールは、前記端末が送信する前記ユーザーＩＤ及び前記目標機器の機器識別子を受信し、前記ユーザーＩＤによって前記ユーザーＩＤに対応する関係リストを確定し、前記関係リストを照会して前記目標機器の機器識別子に対応する機能表示情報を確定するように構成され、前記目標機器の機器識別子は、前記端末が前記プリセットトリガー命令によって、事前に記憶なれたトリガー命令と機器識別子との対応関係を照会して取得したものであり、前記関係リストは、事前に確立された機器識別子と機能表示情報との対応関係を記録し、
前記送信モジュールは、前記目標機器の機器識別子に対応する機能表示情報によって、前記目標機器の機器識別子に対応する機能のトリガーボタンを表示する前記端末に、前記目標機器の機器識別子に対応する機能表示情報を送信するように構成され、前記目標機器の機器識別子に対応する機能のトリガーボタンは、前記目標機能のトリガーボタンを含む。
【００３４】
好ましくは、前記取得モジュールは、前記ユーザーＩＤによって前記ユーザーＩＤとバインディングされる機器の機器識別子リストを確定するように構成され、前記機器識別子リストには、前記目標機器の機器識別子及び前記目標機能の表示情報が含まれ、
前記送信モジュールは、前記機器識別子リストを表示する前記端末に前記ユーザーＩＤとバインディングされる機器の機器識別子リストを送信するように構成され、ここで、前記目標機能の表示情報は、前記目標機能のトリガーボタンの形式で表示される。
【００３５】
好ましくは、前記取得モジュールは、前記ユーザーＩＤによって、前記ユーザーＩＤとバインディングされる機器の機器識別子リストを確定し、前記機器識別子リストを表示し、前記目標機器の機器識別子をトリガーして生成されるタッチ命令を受信する前記端末に、前記機器識別子リストを送信し、前記端末が送信する前記タッチ命令を受信して、前記タッチ命令によって前記目標機器の機器識別子に対応する制御インターフェースの表示情報を確定するように構成され、前記機器識別子リストには、前記目標機器の機器識別子が含まれおり、前記制御インターフェースの表示情報には、目標機能の表示情報が含まれ、
前記送信モジュールは、前記制御インターフェースの表示情報によって、前記制御インターフェースを表示する前記端末に、前記制御インターフェースの表示情報を送信するように構成され、前記制御インターフェースは、前記目標機能のトリガーボタンを含む。
【００３６】
好ましくは、前記目標機器はカメラであり、前記目標機能はトークバック機能である。
【００３７】
本発明の第５の態様によれば、目標機能のスターティング装置が提供され、前記装置は、
プロセッサーと、
前記プロセッサーによって実行可能な命令を記憶するメモリと、を備え、
ここで、プロセッサーは、
目標機能に関連するプリセットトリガー命令を受信し、
前記プリセットトリガー命令によって前記目標機能のトリガーボタンを表示し、
前記目標機能のトリガーボタンをトリガーして生成されるスターティング命令を受信し、
前記スターティング命令によって前記目標機能をスターティングするように構成される。
【００３８】
本発明の第６の態様によれば、目標機能のスターティング装置が提供され、前記装置は、
プロセッサーと、
前記プロセッサーによって実行可能な命令を記憶するメモリと、を備え、
ここで、プロセッサーは、
端末が送信するユーザーＩＤを受信し、
前記ユーザーＩＤとバインディングされる目標機器の目標機能の表示情報を取得し、
前記端末に前記目標機能の表示情報を送信するように構成され、
前記ユーザーＩＤは、前記端末が目標機能に関連するプリセットトリガー命令を受信した後送信するものであり、前記ユーザーＩＤは目標機器に関連するクライアントでログインするユーザーＩＤであり、前記目標機器は前記目標機能を備え、
前記端末は、前記目標機能の表示情報によって目標機能のトリガーボタンを表示し、前記目標機能のトリガーボタンをトリガーして生成されるスターティング命令によって前記目標機能をスターティングする。
【００３９】
本発明の第7の態様によれば、目標機能のスターティングシステムが提供され、前記システムは端末及びサーバーを備え、
上記端末は、前記第３の態様又は第３の態様のいずれか選択可能な方式に記載された目的機能のスターティング装置を備え、
上記サーバーは、前記第４の態様又は第４の態様のいずれか選択可能な方式に記載された目的機能のスターティング装置を備える。
【００４０】
本発明の第８の態様によれば、目標機能のスターティングシステムが提供され、前記システムは端末及びサーバーを備え、
上記端末は、第５の態様に記載された目標機能のスターティング装置を備え、
上記サーバーは、第６の態様に記載された目標機能のスターティング装置を備える。
本発明の第９の態様によれば、
プロセッサーに実行されることにより、上記の目標機能のスターティング方法を実現する、コンピュータ読取可能な記録媒体に記録されたプログラムを提供する。
本発明の第１０の態様によれば、
上記プログラムが記録されたコンピュータ読取可能な記録媒体を提供する。
【発明の効果】
【００４１】
本発明が提供した技術案によれば、以下のような有益な効果を獲得することができる。
【００４２】
本発明に係る目標機能のスターティング方法、装置及びシステムは、目標機能に関連するプリセットトリガー命令を受信し、プリセットトリガー命令によって目標機能のトリガーボタンを表示し、目標機能のトリガーボタンをトリガーして生成されるスターティング命令を受信し、スターティング命令によって目標機能をスターティングすることができるため、フォアグラウンド（ｆｏｒｅｇｒｏｕｎｄ）でクライアントにログインする必要がなく、制御インターフェースに入ると、目標機能をスターティングすることができて、関連技術に存在する目標機能のスターティング過程は複雑な問題を解決して目標機能のスターティング過程を簡素化する効果を獲得することができる。
【００４３】
なお、前記一般的な記載及び後述の詳細な記載は、単なる例示的で解釈的な記載であり、本発明を限定しない。
【図面の簡単な説明】
【００４４】
以下、本発明の実施例に係る技術案をさらに明瞭に説明するために、実施例の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図１】本発明の各実施例に係る実施環境の構造を示す説明図である。
【図２】一例示的な実施例に係る目標機能のスターティング方法を示すフローチャートである。
【図３】他の一例示的な実施例に係る目標機能のスターティング方法を示すフローチャートである。
【図４−１】別の一例示的な実施例に係る目標機能のスターティング方法を示すフローチャートである。
【図４−２】図４-１に示された実施例に係る端末が目標機能に関連するプリセットトリガー命令を受信する方法を示すフローチャートである。
【図４−３】図４-１に示された実施例に係る端末がプリセットトリガー命令によって目標機能のトリガーボタンを表示する方法を示すフローチャートである。
【図４−４】図４-１に示された実施例に係る端末がサーバーからユーザーＩＤとバインディングされる目標機器の目標機能の表示情報を取得する方法を示すフローチャートである。
【図４−５】図４-１に示された実施例に係る端末がプリセットトリガー命令によって目標機能のトリガーボタンを表示する方法を示すフローチャートである。
【図４−６】図４-１に示された実施例に係る他の端末がプリセットトリガー命令によって目標機能のトリガーボタンを表示する方法を示すフローチャートである。
【図４−７】図４-１に示された実施例に係るさらに他の端末がプリセットトリガー命令によって目標機能のトリガーボタンを表示する方法を示すフローチャートである。
【図４−８】図４-１に示された実施例に係るまたさらに他の端末がプリセットトリガー命令によって目標機能のトリガーボタンを表示する方法を示すフローチャートである。
【図４−９】図４-１に示された実施例に係る端末のインターフェースを示す説明図である。
【図４−１０】図４-１に示された実施例に係る他の端末がプリセットトリガー命令によって目標機能のトリガーボタンを表示する方法を示すフローチャートである。
【図４−１１】図４-１に示された実施例に係る他の端末のインターフェースを示す説明図である。
【図４−１２】図４-１に示された実施例に係るまた他の端末のインターフェースを示す説明図である。
【図５−１】一例示的な実施例に係る目標機能のスターティング装置を示すブロック図である。
【図５−２】図５-１に示された実施例に係る表示モジュールを示すブロック図である。
【図６】他の一例示的な実施例に係る目標機能のスターティング装置を示すブロック図である。
【図７】一例示的な実施例に係る目標機能のスターティング装置を示すブロック図である。
【図８】他の一例示的な実施例に係る目標機能のスターティング装置を示すブロック図である。
【図９】一例示的な実施例に係る目標機能のスターティングシステムの構造を示す説明図である。  ここの図面は、明細書に組み入れて本明細書の一部分を構成し、本発明に該当する実施例を例示するとともに、明細書とともに本発明の原理を解釈する。
【発明を実施するための形態】
【００４５】
本発明の目的、技術案、及び利点をより明確にするために、以下、図面を参照しながら、本発明についてより詳細に説明する。なお、説明される実施例は、単に本発明の一部の実施例に過ぎず、すべての実施例ではない。当業者が本発明の実施例に基づいて、創造的な労働をしていない前提で取得する他のすべての実施例は、本発明の保護範囲に属する。
【００４６】
図１は、本発明の各実施形態に係る目標機能のスターティング方法に関連する実施環境の構造を示す説明図である。図１を参照すると、前記実施環境は目標機器１２０、サーバー１４０、及び端末１６０を備える。ここで、目標機器１２０及び端末１６０は、それぞれ有線ネットワーク又は無線ネットワークを介してサーバー１４０と接続される。
【００４７】
目標機器１２０は、目標機能を備えるスマート機器であってもよい。例えば、前記目標機器１２０は、スマートカメラ、スマートコンセント、スマートブレスレット、スマートＴＶ、赤外線リモコンなどのスマート機器であってもよい。図１を参照すると、本実施環境について、目標機器１２０がスマートカメラである場合を例に挙げて説明すると、前記スマートカメラは、録画機能及びトークバック機能を備えることができる。本実施環境及び以下の各実施例では、目標機能は前記スマートカメラのトークバック機能であってもよい。
【００４８】
サーバー１４０は、１台のサーバー、又は複数台のサーバーにより構成されたサーバーグループ、又はクラウドコンピューティングサービスセンターであってもよい。
【００４９】
端末１６０は、サーバー１４０を介して目標機器１２０を制御する電子機器であってもよい。端末１６０は、Ａｐｐがインストールされ、ユーザーは、端末１６０にインストールされたＡｐｐを介して目標機器１２０をユーザーＩＤにバインディングすることができる。ここで、ユーザーＩＤは、端末１６０における目標機器１２０に関連するＡｐｐにログインするユーザーＩＤを指す。端末１６０は、スマートフォン、タブレットコンピューター、スマートＴＶ、テーブルコンピューターなどであってもよい。
【００５０】
なお、ユーザーが端末１６０にインストールされたＡｐｐを介して目標機器１２０をユーザーＩＤにバインディングさせることは、実際に、端末１６０がサーバー１４０を介して目標機器１２０をユーザーＩＤにバインディングさせることである。目標機器１２０とユーザーＩＤをバインディングした後、サーバー１４０は、ユーザーＩＤと目標機器１２０との対応関係を記憶することができる。従って、目標機器１２０は、サーバーに１４０にデータ、例えば、画像データ等をアップロードすることができる。本実施環境において、前記データは、目標機能の表示情報（例えば、トークバック機能の表示情報）、制御インターフェースの表示情報（例えば、録画インターフェースの表示情報）などであってもよい。サーバー１４０は、目標機器１２０がアップロードしたデータを受信することができ、前記データと前記データをアップロードした目標機器１２０とバインディングされるユーザーＩＤとの対応関係を記憶することができる。
【００５１】
ここで、端末１６０は、ＡｐｐにログインするユーザーＩＤを取得することができ、ユーザーＩＤによってサーバー１４０から前記ユーザーＩＤとバインディングされる目標機器１２０の目標機能の表示情報を取得し、前記目標機能の表示情報によって目標機能のトリガーボタンを表示することができる。
【００５２】
サーバー１４０は、端末１６０が送信するユーザーＩＤを受信することができ、ユーザーＩＤとバインディングされる目標機器１２０の目標機能の表示情報を取得するとともに、端末１６０に目標機能の表示情報を送信することにより、端末１６０が目標機能の表示情報によって目標機能のトリガーボタンを表示し、ユーザーのトリガーボタンに対するトリガーによって目標機器１２０の目標機能をスターティングすることができる。
【００５３】
図２は、一例示的な実施例に係る目標機能のスターティング方法を示すフローチャートである。本実施例では、前記目標機能のスターティング方法を図１に図示された実施環境の端末１６０に適用した場合を例に挙げて説明する。図２を参照すると、前記目標機能のスターティング方法は、以下のような複数のステップを含んでもよい。
ステップ２０１：目標機能に関連するプリセットトリガー命令を受信する。
ステップ２０２：プリセットトリガー命令によって目標機能のトリガーボタンを表示する。
ステップ２０３：目標機能のトリガーボタンをトリガーして生成されるスターティング命令を受信する。
ステップ２０４：スターティング命令によって目標機能をスターティングする。
【００５４】
以上を纏めると、本発明の実施形態に係る目標機能のスターティング方法は、目標機能に関連するプリセットトリガー命令を受信し、プリセットトリガー命令によって目標機能のトリガーボタンを表示し、目標機能のトリガーボタンをトリガーして生成されるスターティング命令を受信し、スターティング命令によって目標機能をスターティングすることができる。従って、フォアグラウンドでクライアントにログインする必要がなくなり、制御インターフェースに入ると、目標機能をスターティングすることができて、関連技術に存在する目標機能のスターティング過程が複雑な問題を解決することができ、目標機能のスターティング過程を簡素化する効果を獲得することができる。
【００５５】
好ましくは、ステップ２０１は、
端末のスクリーンのウェイクアップ命令を受信するステップと、
ウェイクアップ命令によって端末の画面をウェイクアップし、スクリーンロックインターフェースを表示するステップと、
スクリーンロックインターフェースで目標機能に関連するプリセットトリガー命令は、受信するステップと、を含んでもよい。
【００５６】
ここで、前記ウェイクアップ命令は、プリセットグリップジェスチャー命令、及びプリセットボタン操作命令のうちいずれか一つを含む。前記プリセットグリップジェスチャー命令は、プリセットグリップジェスチャーを介して端末をグリップして生成される命令であり、前記プリセットボタン操作命令は、プリセットタッチジェスチャーを介して端末のウェイクアップボタンをトリガーして生成される命令である。
【００５７】
好ましくは、ステップ２０２は、
目標機能を備える目標機器に関連するクライアントでログインするユーザーＩＤを取得するステップと、
サーバーからユーザーＩＤとバインディングされる目標機器の目標機能の表示情報を取得するステップと、
目標機能の表示情報によって目標機能のトリガーボタンを表示するステップと、を含んでもよい。
【００５８】
好ましくは、ステップ２０２は、
ユーザーＩＤによって代替機能集合中の各機能の機能表示情報を確定するサーバーに、ユーザーＩＤを送信するステップと、
サーバーが送信する代替機能集合中の各機能の機能表示情報を受信するステップと、をさらに含んでもよい。
【００５９】
ここで、前記代替機能集合は、ユーザーＩＤとバインディングされる機器が備えた機能の集合であり、前記代替機能集合は目標機器の目標機能を含む。
【００６０】
ステップ２０２は、
代替機能集合中の各機能の機能表示情報によって代替機能集合中の各機能のトリガーボタンを表示するステップをさらに含んでもよい。
【００６１】
好ましくは、ステップ２０２は、
事前に記憶なれたトリガー命令と機器の機能識別子との対応関係を照会して、プリセットトリガー命令に対応する機器の機能識別子を、目標機器の機器識別子及び目標機能の識別子を含む目標識別子とするステップと、
ユーザーＩＤによってユーザーＩＤに対応する関係リストを確定するサーバーに、ユーザーＩＤ及び目標識別子を送信するステップと、
サーバーが送信する目標識別子に対応する目標機能の表示情報を受信するステップをさらに含んでもよい。
【００６２】
ここで、前記関係リストは、事前に確立された機器の機能識別子と機能表示情報との対応関係を記録し、
前記目標識別子に対応する目標機能の表示情報は、サーバーが関係リストを照会して確定されるものである。
【００６３】
好ましくは、ステップ２０２は、
事前に記憶なれたトリガー命令と機器識別子との対応関係を照会して、プリセットトリガー命令に対応する機器識別子を目標機器の機器識別子とするステップと、
ユーザーＩＤによってユーザーＩＤに対応する関係リストを確定するサーバーに、ユーザーＩＤ及び目標機器の機器識別子を送信するステップと、
サーバーが送信する目標機器の機器識別子に対応する機能表示情報を受信するステップをさらに含んでもよい。
【００６４】
ここで、前記関係リストは、事前に確立された機器識別子と機能表示情報との対応関係を記録し、
前記目標機器の機器識別子に対応する機能表示情報は、サーバーが関係リストを照会して確定されるものである。
【００６５】
ステップ２０２は、
目標機器の機器識別子に対応する機能表示情報によって目標機器の機器識別子に対応する機能のトリガーボタンを表示するステップをさらに含んでもよい。
【００６６】
ここで、前記目標機器の機器識別子に対応する機能のトリガーボタンは目標機能のトリガーボタンを含む。
【００６７】
好ましくは、ステップ２０２は、
ユーザーＩＤによってユーザーＩＤとバインディングされる機器の機器識別子リストを確定するサーバーに、ユーザーＩＤを送信するステップと、
サーバーが送信するユーザーＩＤとバインディングされる機器の機器識別子リストを受信するステップをさらに含んでもよい。
【００６８】
ここで、前記機器識別子リストには、目標機器の機器識別子及び目標機能の表示情報が含まれる。
【００６９】
ステップ２０２は、
目標識別子リストを表示するステップをさらに含んでもよい。ここで、前記目標機能の表示情報は、目標機能のトリガーボタンの形式で表示される。
【００７０】
好ましくは、ステップ２０２は、
ユーザーＩＤによってユーザーＩＤとバインディングされる機器の機器識別子リストを確定するサーバーに、ユーザーＩＤを送信するステップと、
サーバーが送信するユーザーＩＤとバインディングされる機器の機器識別子リストを受信するステップと、
機器識別子リストを表示するステップと、
目標機器の機器識別子をトリガーして生成されるタッチ命令を受信するステップと、
タッチ命令によって目標機器の機器識別子に対応する制御インターフェースの表示情報を確定するサーバーにタッチ命令を送信するステップと、
サーバーが送信する制御インターフェースの表示情報を受信するステップをさらに含んでもよい。
【００７１】
ここで、前記機器識別子のリストには、目標機器の機器識別子が含まれており、
前記制御インターフェースの表示情報には、目標機能の表示情報が含まれる。
【００７２】
ステップ２０２は、
制御インターフェースの表示情報によって制御インターフェースを表示するステップをさらに含んでもよい。
【００７３】
ここで、前記制御インターフェースは、目標機能のトリガーボタンを含む。
【００７４】
好ましくは、目標機器カメラであり、目標機能はトークバック機能である。
【００７５】
以上を纏めると、本発明の実施形態に係る目標機能のスターティング方法は、目標機能に関連するプリセットトリガー命令を受信し、プリセットトリガー命令によって目標機能のトリガーボタンを表示し、目標機能のトリガーボタンをトリガーして生成されるスターティング命令を受信し、スターティング命令によって目標機能をスターティングすることができる。従って、フォアグラウンドでクライアントにログインする必要がなくなり、制御インターフェースに入ると、目標機能をスターティングすることができて、関連技術に存在する目標機能のスターティング過程が複雑な問題を解決することができ、目標機能のスターティング過程を簡素化する効果を獲得することができる。
【００７６】
図３は、他の一例示的な実施例に係る目標機能のスターティング方法を示すフローチャートである。本実施例では、前記目標機能のスターティング方法を図１に図示された実施環境のサーバー１４０に適用した場合を例に挙げて説明する。図３を参照すると、前記目標機能のスターティング方法は、以下のような複数のステップを含んでもよい。
【００７７】
ステップ３０１：端末が送信するユーザーＩＤを受信する。ここで、ユーザーＩＤは端末が目標機能に関連するプリセットトリガー命令を受信した後送信するものであり、ユーザーＩＤは目標機器に関連するクライアントでログインするユーザーＩＤであり、目標機器は目標機能を備える。
【００７８】
ステップ３０２：ユーザーＩＤとバインディングされる目標機器の目標機能の表示情報を取得する。
【００７９】
ステップ３０３：端末に目標機能の表示情報を送信する。ここで、端末は、目標機能の表示情報によって目標機能のトリガーボタンを表示するために用いられ、目標機能のトリガーボタンをトリガーして生成されるスターティング命令によって目標機能をスターティングすることができる。
【００８０】
以上を纏めると、本発明の実施形態に係る目標機能のスターティング方法は、端末が送信するユーザーＩＤを受信し、ユーザーＩＤとバインディングされる目標機器の目標機能の表示情報を取得し、端末に目標機能の表示情報を送信することにより、端末が目標機能の表示情報によって目標機能のトリガーボタンを表示することができ、目標機能のトリガーボタンをトリガーして生成されるスターティング命令によって目標機能をスターティングすることができる。従って、フォアグラウンドでクライアントにログインする必要がなくなり、制御インターフェースに入ると、目標機能をスターティングすることができて、関連技術に存在する目標機能のスターティング過程が複雑な問題を解決することができ、目標機能のスターティング過程を簡素化する効果に到達することができる。
【００８１】
好ましくは、ステップ３０２は、
ユーザーＩＤによって代替機能集合中の各機能の表示情報を確定するステップを含んでもよい。
【００８２】
ここで、前記代替機能集合は、ユーザーＩＤとバインディングされる機器が備えた機能の集合であり、前記代替機能集合は目標機器の目標機能を含む。
【００８３】
ステップ３０３は、
代替機能集合中の各機能の機能表示情報によって代替機能集合中の各機能のトリガーボタンを表示する端末に、代替機能集合中の各機能の表示情報を送信するステップを含んでもよい。
【００８４】
好ましくは、ステップ３０２は、
端末が送信するユーザーＩＤと目標識別子を受信するステップと、
ユーザーＩＤによってユーザーＩＤに対応する関係リストを確定するステップと、
関係リストを照会して、目標識別子に対応する目標機能の表示情報を確定するステップをさらに含んでもよい。
【００８５】
ここで、前記目標識別子は、端末がプリセットトリガー命令によって、事前に記憶なれたトリガー命令と機器の機能識別子との対応関係を照会して取得したものであり、前記目標識別子は、目標機器の機器識別子と目標機能の識別子を含み、
前記関係リストは、事前に確立された機器の機能識別子と機能表示情報との対応関係を記録する。
【００８６】
好ましくは、ステップ３０２は、
端末が送信するユーザーＩＤと目標機器の機器識別子を受信するステップと、
ユーザーＩＤによって前記ユーザーＩＤに対応する関係リストを確定するステップと、
関係リストを照会して、目標機器の機器識別子に対応する機能表示情報を確定するステップをさらに含んでもよい。
【００８７】
ここで、前記目標機器の機器識別子は、端末がプリセットトリガー命令によって、事前に記憶なれたトリガー命令と機器識別子との対応関係を照会して取得したものであり、
前記関係リストは、事前に確立された機器識別子と機能表示情報との対応関係を記録する。
【００８８】
ステップ３０３は、
目標機器の機器識別子に対応する機能表示情報によって目標機器の機器識別子に対応する機能のトリガーボタンを表示する端末に、目標機器の機器識別子に対応する機能表示情報を送信するステップをさらに含んでもよい。
【００８９】
ここで、前記目標機器の機器識別子に対応する機能のトリガーボタンは目標機能のトリガーボタンを含む。
【００９０】
好ましくは、ステップ３０２は、
ユーザーＩＤによってユーザーＩＤとバインディングされる機器の機器識別子リストを確定するステップをさらに含んでもよい。
【００９１】
ここで、前記機器識別子リストには、目標機器の機器識別子と目標機能の表示情報が含まれる。
【００９２】
ステップ３０３は、
機器識別子リストを表示する端末に、ユーザーＩＤとバインディングされる機器の機器識別子リストを送信するステップをさらに含んでもよい。
【００９３】
ここで、前記目標機能の表示情報は、目標機能のトリガーボタンの形式で表示される。
【００９４】
好ましくは、ステップ３０２は、
ユーザーＩＤによってユーザーＩＤとバインディングされる機器の機器識別子リストを確定するステップと、
機器識別子リストを表示し、目標機器の機器識別子をトリガーして生成されるタッチ命令を受信する端末に、機器識別子リストを送信するステップと、
端末が送信するタッチ命令を受信するステップと、
タッチ命令によって目標機器の機器識別子に対応する制御インターフェースの表示情報を確定するステップをさらに含んでもよい。
【００９５】
ここで、前記機器識別子リストには、目標機器の機器識別子が含まれて、前記制御インターフェースの表示情報には、目標機能の表示情報が含まれる。
【００９６】
ステップ３０３は、
制御インターフェースの表示情報によって制御インターフェースを表示する端末に、制御インターフェースの表示情報を送信するステップをさらに含んでもよい。
【００９７】
ここで、前記制御インターフェースは、目標機能のトリガーボタンを含む。
【００９８】
好ましくは、目標機器カメラであり、目標機能はトークバック機能である。
【００９９】
以上を纏めると、本発明の実施形態に係る目標機能のスターティング方法は、端末が送信するユーザーＩＤを受信し、ユーザーＩＤとバインディングされる目標機器の目標機能の表示情報を取得し、端末に目標機能の表示情報を送信することにより端末が目標機能の表示情報によって目標機能のトリガーボタンを表示することができ、目標機能のトリガーボタンをトリガーして生成されるスターティング命令によって目標機能をスターティングすることができる。従って、フォアグラウンドでクライアントにログインする必要がなくなり、制御インターフェースに入ると、目標機能をスターティングすることができて、関連技術に存在する目標機能のスターティング過程が複雑な問題を解決することができ、目標機能のスターティング過程を簡素化する効果に達することができる。
【０１００】
図４-１は、他の一例示的な実施例に係る目標機能のスターティング方法を示すフローチャートである。本実施例では、前記目標機能のスターティング方法を図１に図示された実施環境に適用した場合を例に挙げて説明する。図４-１を参照すると、前記目標機能のスターティング方法は、以下のような複数のステップを含んでもよい。
【０１０１】
ステップ４０１：端末は、目標機能に関連するプリセットトリガー命令を受信する。
【０１０２】
ここで、端末は、図１に示された実施環境の端末１６０であってもよい。目標機能は、目標機器の目標機能を指す。前記目標機器は、図１に示された実施環境の目標機器１２０であってもよい。例えば、目標機器１２０は、スマートカメラ、スマートコンセント、スマートブレスレット、スマートＴＶ、赤外線リモコンなどのスマート機器であってもよい。本発明の実施例は、前記目標機器１２０が、スマートカメラである場合を例に挙げて説明し、目標機能はスマートカメラのトークバック機能であってもよい。
【０１０３】
本発明の実施例では、端末１６０に目標機器１２０に関連するクライアントをインストールすることができ、前記クライアントでユーザーＩＤにログインすることができる。目標機器１２０は、端末１６０を介して目標機器１２０に関連するクライアントでログインするユーザーＩＤとバインディング関係を確立することができ、目標機器１２０は、ユーザーＩＤとバインディング関係を確立した後、 ユーザーは端末１６０で目標機器１２０を制御することができる。例えば、端末１６０は、サーバー１４０を介して目標機器１２０をユーザーＩＤにバインディングさせ、サーバー１４０は、目標機器１２０の機器識別子とユーザーＩＤとの対応関係を記憶することができる。例えば、端末１６０は、サーバー１４０を介してスマートカメラとユーザーＩＤとをバインディングさせる。例えば、スマートカメラの機器識別子がＩＤ-ＳＸＪであり、前記スマートカメラとバインディングされるユーザーＩＤがｘｉａｏｍｉｙｏｎｇｈｕとすれば、サーバー１４０は、ユーザーＩＤであるｘｉａｏｍｉｙｏｎｇｈｕと機器識別子であるＩＤ-ＳＸＪとの対応関係を記憶することができ、 目標機器１２０は、ユーザーＩＤであるｘｉａｏｍｉｙｏｎｇｈｕによって、サーバー１４０にデータをアップロードして、端末１６０は、ユーザーＩＤによってサーバー１４０から目標機器１２０がアップロードしたデートを取得することができる。
【０１０４】
ここで、プリセットトリガー命令は、ユーザーが事前に端末１６０に設定したものであってもよい。ユーザーは、プリセットジェスチャーを介して端末１６０を操作して端末１６０をトリガーさせ、命令受信インターフェースを表示し、命令受信インターフェースがトリガーされた後、ユーザーは前記命令受信インターフェースで目標機能に関連するプリセットトリガー命令をトリガーし、端末１６０は、前記命令受信インターフェースで目標機能に関連するプリセットトリガー命令を受信することができる。ここで、命令受信インターフェースは、スクリーンロックインターフェースであってもよく、他の事前に設定した命令を受信するインターフェースであってもよい。ユーザーは、プリセット操作（例えば、プリセットジェスチャー操作）を介して端末１６０をトリガーして、命令受信インターフェースを表示する。例えば、前記命令受信インターフェースが音声受信インターフェースである場合、ユーザーは上へスライディングするジェスチャーと下へスラディンするジェスチャーを介して、前記音声受信インターフェースの表示をトリガーすることができる。ユーザーが端末１６０に現在表示される音声受信インターフェースに対してプリセット音声セグメント（例えば、「カメラのトークバック機能をオンする」）を話すと、ユーザーが目標機能に関連するプリセットトリガー命令をトリガーしたと確認することができる。
【０１０５】
例えば、図４-２を参照すると、図４-２に示されたのは、図４-１の実施例に係る端末１６０が目標機能に関連するプリセットトリガー命令を受信する方法を示すフローチャートである。図４-２を参照すると、本発明の実施例では、命令受信インターフェースがスクリーンロックインターフェースであり、端末１６０が目標機能に関連するプリセットトリガー命令を受信することは以下のような複数のステップを含んでもよい。
【０１０６】
サブステップ４０１１：端末は、端末のスクリーンに対するウェイクアップ命令を受信する。ここで、ウェイクアップ命令は、プリセットグリップジェスチャー命令とプリセットボタン操作命令のうちいずれか一つを含む。プリセットグリップジェスチャー命令は、プリセットグリップジェスチャーで端末をグリップして生成される命令であり、プリセットボタン操作命令は、プリセットタッチジェスチャーで端末のウェイクアップボタンをタッチして生成される命令である。
【０１０７】
一可能な実現方式において、端末１６０のスクリーンが現在休眠状態（画面がオフの状態）にあり、端末１６０をトリガーして命令受信インターフェース（スクリーンロックインターフェース）を表示するためには、端末１６０のスクリーンをウェイクアップする必要がある。
【０１０８】
本発明の実施例において、ユーザーは、端末１６０を操作して端末１６０のスクリーンに対するウェイクアップ命令をトリガーして端末１６０のスクリーンをウェイクアップすることができる。ここで、ウェイクアップ命令は、プリセットグリップジェスチャー命令とプリセットボタン操作命令のうちいずれか一つを含む。プリセットグリップジェスチャー命令は、プリセットグリップジェスチャーで端末をグリップして生成される命令であり、プリセットボタン操作命令は、プリセットタッチジェスチャーで端末のウェイクアップボタンをタッチして生成される命令である。例えば、ユーザーが端末１６０の電源ボタンを操作して、端末１６０のスクリーンに対するウェイクアップ命令をトリガーする。
【０１０９】
ユーザーが端末１６０のスクリーンに対するウェイクアップ命令をトリガーすると、端末１６０は、ユーザーがトリガーした端末１６０のスクリーンに対するウェイクアップ命令を受信することができる。
【０１１０】
サブステップ４０１２：端末は、ウェイクアップ命令によって端末のスクリーンをウェイクアップし、スクリーンロックインターフェースを表示する。
【０１１１】
端末１６０は、ユーザーがトリガーした端末１６０のスクリーンに対するウェイクアップ命令を受信すると、前記ウェイクアップ命令によって端末１６０のスクリーンをウェイクアップし、スクリーンロックインターフェースを表示する。前記スクリーンロックインターフェースが命令受信インターフェースである。例えば、ユーザーが端末１６０の電源ボタンを操作すると、端末１６０は、端末１６０のスクリーンをウェイクアップさせながら、スクリーンロックインターフェースを表示する。
【０１１２】
サブステップ４０１３：端末は、スクリーンロックインターフェースで目標機能に関連するプリセットトリガー命令を受信する。
【０１１３】
端末１６０は、スクリーンロックインターフェースを表示した後、ユーザーは、端末１６０のスクリーンロックインターフェースで目標機能に関連するプリセットトリガー命令をトリガーすることができ、端末１６０は、スクリーンロックインターフェースで目標機能に関連するプリセットトリガー命令を受信することができる。
【０１１４】
命令受信インターフェースがスクリーンロックインターフェースである場合、プリセットトリガー命令は、ユーザーが左へスライディング又は右へスライディングするジェスチャーを介してトリガーした命令であってもよい。例えば、プリセットトリガー命令は、ユーザーが右へスライディングするジェスチャーを介してトリガーした命令である。
【０１１５】
ステップ４０２：端末は、プリセットトリガー命令によって目標機能のトリガーボタンを表示する。
【０１１６】
端末１６０は、プリセットトリガー命令を受信すると、プリセットトリガー命令によって目標機能のトリガーボタンを表示することができる。例えば、端末１６０は、スマートカメラのトークバック機能のトリガーボタンを表示する。例えば、図４-３を参照すると、図４-３は、図４-１に示された実施例に係る端末１６０がプリセットトリガー命令によって目標機能のトリガーボタンを表示する方法を示すフローチャートある。図４-３を参照すると、前記方法は以下のような複数のステップを含んでもよい。
サブステップ４０２１：端末は、目標機能を備える目標機器に関連するクライアントでログインするユーザーＩＤを取得する。
【０１１７】
本発明の実施例において、端末１６０は、目標機器１２０に関連するクライアントをインストールすることができる。前記クライアントでユーザーＩＤにログインすることができ、端末１６０は、前記ユーザーＩＤを取得することができる。例えば、端末１６０は、ユーザーＩＤであるｘｉａｏｍｉｙｏｎｇｈｕを取得する。
【０１１８】
サブステップ４０２２：端末は、サーバーからユーザーＩＤとバインディングされる目標機器の目標機能の表示情報を取得する。
【０１１９】
端末１６０は、目標機器１３０に関連するクライアントでログインするユーザーＩＤを取得した後、前記ユーザーＩＤによって、サーバー１４０からユーザーＩＤとバインディングされる目標機器１２０の目標機能の表示情報を取得することができる。例えば、端末１６０は、ユーザーＩＤであるｘｉａｏｍｉｙｏｎｇｈｕによってサーバー１４０からユーザーＩＤであるｘｉａｏｍｉｙｏｎｇｈｕとバインディングされる目標機器１２０の目標機能の表示情報を取得する。
【０１２０】
例えば、図４-４を参照すると、図４-４は、図４-１に示された実施例に係る端末１６０がサーバー１４０からユーザーＩＤとバインディングされる目標機器の目標機能の表示情報を取得する方法を示すフローチャートである。図４-４を参照すると、本発明の実施例において、端末１６０は、サーバー１４０からユーザーＩＤとバインディングされる目標機器の目標機能の表示情報を取得することは、以下のような複数のステップを含んでもよい。
【０１２１】
サブステップ４０２２１：端末は、サーバーにユーザーＩＤを送信する。サーバーは、ユーザーＩＤによってユーザーＩＤとバインディングされる目標機器の目標機能の表示情報を取得する。
【０１２２】
サーバー１４０は、ユーザーＩＤと、ユーザーＩＤとバインディングされる目標機器１２０の目標機能の表示情報を記憶することができるため、端末１６０は、サーバー１４０にユーザーＩＤを送信することができる。例えば、端末１６０は、サーバー１４０にユーザーＩＤであるｘｉａｏｍｉｙｏｎｇｈｕを送信する。
【０１２３】
サブステップ４０２２２：サーバーは、端末が送信するユーザーＩＤを受信する。ユーザーＩＤは端末が目標機能に関連するプリセットトリガー命令を受信した後送信するものであり、ユーザーＩＤは目標機器に関連するクライアントでログインするユーザーＩＤであり、目標機器は目標機能を備える。
【０１２４】
端末１６０は、サーバー１４０にユーザーＩＤを送信すると、サーバー１４０は、前記端末１６０が送信したユーザーＩＤを受信することができる。例えば、サーバー１４０は、端末１６０が送信したユーザーＩＤであるｘｉａｏｍｉｙｏｎｇｈｕを受信する。ここで、ユーザーＩＤは、端末１６０が目標機能に関連するプリセットトリガー命令を受信した後送信するものである。
【０１２５】
サブステップ４０２２３：サーバーは、ユーザーＩＤとバインディングされる目標機器の目標機能の表示情報を取得する。
【０１２６】
サーバー１４０は、端末１６０が送信するユーザーＩＤを受信した後、ユーザーＩＤによって、ユーザーＩＤとバインディングされる目標機器１２０の目標機能の表示情報を取得することができる。例えば、サーバー１４０は、ユーザーＩＤであるｘｉａｏｍｉｙｏｎｇｈｕによってユーザーＩＤであるｘｉａｏｍｉｙｏｎｇｈｕとバインディングされる目標機器１２０の目標機能の表示情報を取得する。ここで、サーバー１４０は、ユーザーＩＤと機器の機能表示情報との対応関係を記憶することができる。サーバー１４０は、ユーザーＩＤであるｘｉａｏｍｉｙｏｎｇｈｕによってユーザーＩＤと機器の機能表示情報との対応関係を照会して、ユーザーＩＤであるｘｉａｏｍｉｙｏｎｇｈｕとバインディングされる目標機器１２０の目標機能の表示情報を確定する。例えば、サーバー１４０は、ユーザーＩＤであるｘｉａｏｍｉｙｏｎｇｈｕによってユーザーＩＤであるｘｉａｏｍｉｙｏｎｇｈｕとバインディングされるスマートカメラのトークバック機能の表示情報を確定する。
【０１２７】
サブステップ４０２２４：サーバーは、端末に目標機能の表示情報を送信する。端末は、目標機能の表示情報によって目標機能のトリガーボタンを表示するために用いられ、目標機能のトリガーボタンをトリガーして生成されるスターティング命令によって目標機能をスターティングすることができる。
【０１２８】
サーバー１４０は、目標機能の表示情報を取得した後、端末１６０に目標機能の表示情報を送信することができる。例えば、サーバー１４０は、端末１６０にスマートカメラのトークバック機能の表示情報を送信する。
【０１２９】
サブステップ４０２２５：端末は、サーバーが送信する目標機能の表示情報を受信する。
【０１３０】
サーバー１４０が端末１６０に目標機能の表示情報を送信すると、端末１６０は、サーバー１４０が送信する目標機能の表示情報を受信することができる。例えば、端末１６０は、サーバー１４０が送信するスマートカメラのトークバック機能の表示情報を受信する。
【０１３１】
サブステップ４０２３：端末は、目標機能の表示情報によって目標機能のトリガーボタンを表示する。
【０１３２】
端末１６０は、目標機能の表示情報を取得した後、目標機能の表示情報によって目標機能のトリガーボタンを表示することができる。例えば、端末１６０は、スマートカメラのトークバック機能の表示情報によって、スマートカメラのトークバック機能のトリガーボタンを表示する。
【０１３３】
ステップ４０３：端末は、目標機能のトリガーボタンをトリガーして生成されるスターティング命令を受信する。
【０１３４】
端末１６０は、目標機能のトリガーボタンを表示した後、ユーザーは前記トリガーボタンを操作して、目標機能のスターティング命令をトリガーし、端末１６０は、ユーザーがトリガーした目標機能のスターティング命令を受信することができる。例えば、ユーザーは、スマートカメラのトークバック機能のトリガーボタンを操作して、スマートカメラのトークバック機能のスターティング命令をトリガーし、端末１６０は、ユーザーがトリガーしたスマートカメラのトークバック機能のスターティング命令を受信する。
【０１３５】
ステップ４０４：端末は、スターティング命令によって目標機能をスターティングすることができる。
【０１３６】
端末１６０は、ユーザーがトリガーしたスターティング命令を受信した後、前記スターティング命令によって目標機能をスターティングすることができる。例えば、端末１６０は、スマートカメラのトークバック機能のスターティング命令によってスマートカメラのトークバック機能をスターティングする。
【０１３７】
なお、本発明の実施例では、１つのユーザーＩＤは、複数の機器とバインディングすることができ、それぞれの機器は、複数の機能を備えることができるので、端末１６０は、サーバー１４０からユーザーＩＤとバインディングされる目標機器１２０の目標機能の表示情報を取得すると、ユーザーＩＤとバインディングされるすべての機器の機能の機能表示情報を取得することができ、前記すべての機器の機能の機能表示情報は、目標機器１２０の目標機能の表示情報を含むか、又は端末１６０は、目標機器１２０の目標機能の表示情報のみをさらに取得することができるか、又は、端末１６０はまた目標機器１２０の機能表示情報のみを取得することができるので、本発明の実施例のステップ４０２で、端末１６０がプリセットトリガー命令によって目標機能のトリガーボタンを表示することは、以下の５つ方式のうちいずれか１つの方式によって行うことができる。
【０１３８】
第１の方式：例えば、図４-５を参照すると、図４-５は、図４-１に示された実施例に係る端末１６０がプリセットトリガー命令によって目標機能のトリガーボタンを表示する方法を示すフローチャートである。図４-５を参照すると、前記方法は以下のような複数のステップを含んでもよい。
【０１３９】
サブステップ４０２１ａ：端末は、目標機能を備える目標機器に関連するクライアントでログインするユーザーＩＤを取得する。
【０１４０】
本発明の実施例において、端末１６０は、目標機器１２０に関連するクライアントがインストールされることができ、前記クライアントでユーザーＩＤにログインすることができ、端末１６０は、前記ユーザーＩＤを取得することができる。例えば、端末１６０は、ユーザーＩＤであるｘｉａｏｍｉｙｏｎｇｈｕを取得する。
【０１４１】
サブステップ４０２２ａ：端末は、サーバーにユーザーＩＤを送信する。サーバーは、ユーザーＩＤによって代替機能集合中の各機能の機能表示情報を確定する。代替機能集合は、ユーザーＩＤとバインディングされる機器が備えた機能の集合であり、代替機能集合は目標機器の目標機能を含む。
【０１４２】
サーバー１４０は、ユーザーＩＤと、ユーザーＩＤとバインディングされる機器の機能の機能表示情報を記憶することができるので、端末１６０は、サーバー１４０にユーザーＩＤを送信することができる。例えば、端末１６０は、サーバー１４０にユーザーＩＤであるｘｉａｏｍｉｙｏｎｇｈｕを送信する。
【０１４３】
サブステップ４０２３ａ：サーバーは、端末が送信するユーザーＩＤを受信する。ユーザーＩＤは端末が目標機能に関連するプリセットトリガー命令を受信した後送信するものであり、ユーザーＩＤは目標機器に関連するクライアントでログインするユーザーＩＤであり、目標機器は目標機能を備える。
【０１４４】
端末１６０は、サーバー１４０にユーザーＩＤを送信すると、サーバー１４０は、前記端末１６０が送信したユーザーＩＤを受信することができる。例えば、サーバー１４０は、端末１６０が送信したユーザーＩＤであるｘｉａｏｍｉｙｏｎｇｈｕを受信する。ここで、ユーザーＩＤは、端末１６０が目標機能に関連するプリセットトリガー命令を受信した後送信するものである。
【０１４５】
サブステップ４０２４ａ：サーバーは、ユーザーＩＤによって代替機能集合中の各機能の機能表示情報を確定する。代替機能集合は、ユーザーＩＤとバインディングされる機器が備えた機能の集合であり、代替機能集合は目標機器の目標機能を含む。
【０１４６】
サーバー１４０は、ユーザーＩＤと代替機能集合中の各機能の機能表示情報との対応関係を記憶することができる。代替機能集合は、ユーザーＩＤとバインディングされる機器が備えた機能の集合であり、代替機能集合は、目標機器１２０の目標機能を含むので、サーバー１４０は、ユーザーＩＤによって代替機能集合中の各機能の機能表示情報を確定することができる。例えば、サーバー１４０は、ユーザーＩＤであるｘｉａｏｍｉｙｏｎｇｈｕによって、ユーザーＩＤであるｘｉａｏｍｉｙｏｎｇｈｕのもとで記憶されるすべての機器が備える機能の機能表示情報を確定し、前記ユーザーＩＤであるｘｉａｏｍｉｙｏｎｇｈｕのもとで記憶されるすべての機器が備える機能の機能表示情報は、スマートカメラ（目標機器１２０）のトークバック機能の表示情報を含む。
【０１４７】
サブステップ４０２５ａ：サーバーは、端末に代替機能集合中の各機能表示情報を送信する。端末は、代替機能集合中の各機能の機能表示情報によって代替機能集合中の各機能のトリガーボタンを表示する。
【０１４８】
サーバー１４０は、代替機能集合中の各機能の表示情報を確定した後、端末１６０が代替機能集合中の各機能の機能表示情報によって代替機能集合中の各機能のトリガーボタンを表示するように、端末に代替機能集合中の各機能の機能表示情報を送信することができる。ここで、前記代替機能集合中の各機能の機能表示情報は、目標機器１２０の目標機能の表示情報を含むことができ、前記目標機器１２０の目標機能の表示情報は、例えば、スマートカメラのトークバック機能の表示情報である。
【０１４９】
サブステップ４０２６ａ：端末は、サーバーが送信する代替機能集合中の各機能の機能表示情報を受信する。
【０１５０】
サーバー１４０が端末１６０に代替機能集合中の各機能の機能表示情報を送信すると、端末１６０は、サーバー１５０が送信した代替機能集合中の各機能の機能表示情報を受信することができる。
【０１５１】
サブステップ４０２７ａ：端末は、代替機能集合中の各機能の機能表示情報によって代替機能集合中の各機能のトリガーボタンを表示する。
【０１５２】
端末１６０は、サーバー１４０が送信する代替機能集合中の各機能の機能表示情報を受信すると、代替機能集合中の各機能の機能表示情報によって代替機能集合中の各機能のトリガーボタンを表示することができる。代替機能集合中の各機能の機能表示情報は、目標機器１２０の目標機能の表示情報を含むので、端末１６０は、目標機器１２０の目標機能のトリガーボタンを表示することができる。例えば、端末１６０は、スマークカメラのトークバック機能のトリガーボタンを表示する。
【０１５３】
第２の方式：例えば、図４-６を参照すると、図４-６は、図４-１に示された実施例に係る他の端末１６０がプリセットトリガー命令によって目標機能のトリガーボタンを表示する方法を示すフローチャートである。図４-６を参照すると、前記方法は以下のような複数のステップを含んでもよい。
【０１５４】
サブステップ４０２１ｂ：端末は、目標機能を備える目標機器に関連するクライアントでログインするユーザーＩＤを取得する。
【０１５５】
本発明の実施例において、端末１６０は、目標機器１２０に関連するクライアントがインストールされることができ、前記クライアントでユーザーＩＤにログインすることができ、端末１６０は、前記ユーザーＩＤを取得することができる。例えば、端末１６０は、ユーザーＩＤであるｘｉａｏｍｉｙｏｎｇｈｕを取得する。
【０１５６】
サブステップ４０２２ｂ：端末は、事前に記憶なれたトリガー命令と機器の機能識別子との対応関係を照会して、プリセットトリガー命令に対応する機器の機能識別子を目標識別子とし、目標識別子は目標機器の機器識別子と目標機能の識別子を含む。
【０１５７】
本発明の実施例において、端末１６０は、トリガー命令と機器の機能識別子の対応関係を記憶することができ、端末１６０は、プリセットトリガー命令を受信した後、プリセットトリガー命令によって、事前に記憶なれたトリガー命令と機器の機能識別子との対応関係を照会するとともに、プリセットトリガー命令に対応する機器の機能識別子を目標識別子とする。ここで、目標識別子は目標機器の機器識別子と目標機能の識別子を含む。
【０１５８】
ここで、端末１６０が記憶なれたトリガー命令と機器の機能識別子との対応関係は、以下の表１に示す通りである。
【０１５９】
【表１】
2017526099.tif 000001
【０１６０】
端末１６０が受信したプリセットトリガー命令がトリガー命令１であるとすると、前記トリガー命令１は、ユーザーが右へスライディングするジェスチャーでトリガーした命令である場合、端末１６０は、表１に示した対応関係を照会してプリセットトリガー命令に対応する機器の機能識別子がＩＤ-ＳＸＪ-ＤＪであると確定することができる。ここで、前記目標識別子において、ＳＸＪはスマートカメラの機器識別子であり、ＤＪはトークバック機能の識別子であってもよい。
【０１６１】
サブステップ４０２３ｂ：端末は、サーバーにユーザーＩＤと目標識別子を送信する。前記サーバーは、ユーザーＩＤによってユーザーＩＤに対応する関係リストを確定する。前記関係リストは、事前に確立された機器の機能識別子と機能表示情報との対応関係を記録する。
【０１６２】
端末１６０は、ユーザーＩＤと目標識別子を取得した後、サーバー１４０に前記ユーザーＩＤと目標識別子を送信することにより、サーバー１４０は、ユーザーＩＤによってユーザーＩＤに対応する関係リストを確定することができ、目標識別子によって目標識別子に対応する目標機能の表示情報を確定することができる。ここで、ユーザーＩＤに対応する関係リストは、事前に確立された機器の機能識別子と機能表示情報との対応関係を記録する。例えば、端末１６０は、サーバー１４０にユーザーＩＤであるｘｉａｏｍｉｙｏｎｇｈｕと目標識別子ＩＤ-ＳＸＪ-ＤＪを送信する。
【０１６３】
サブステップ４０２４ｂ：サーバーは、端末が送信するユーザーＩＤと目標識別子を受信する。目標識別子は、端末がプリセットトリガー命令によって、事前に記憶なれたトリガー命令と機器の機能識別子との対応関係を照会して取得したものであり、目標識別子は、目標機器の機器識別子と目標機能の識別子を含む。
【０１６４】
端末１６０は、サーバー１４０にユーザーＩＤと目標識別子を送信すると、サーバー１４０は、端末１６０が送信したユーザーＩＤと目標識別子を受信することができる。例えば、サーバー１４０は、端末１６０が送信したユーザーＩＤであるｘｉａｏｍｉｙｏｎｇｈｕと目標識別子ＩＤ-ＳＸＪ-ＤＪを受信する。
【０１６５】
サブステップ４０２５ｂ：サーバーは、ユーザーＩＤによってユーザーＩＤに対応する関係リストを確定する。前記関係リストは、事前に確立された機器の機能識別子と機能表示情報との対応関係を記録する。
【０１６６】
ここで、サーバー１４０は、複数のユーザーＩＤを記憶することができ、それぞれのユーザーＩＤは、１つの関係リストに対応することができ、前記関係リストは、事前に確立された機器の機能識別子と機能表示情報との対応関係を記録することができる。サーバー１４０は、端末１６０が送信したユーザーＩＤと目標識別子を受信した後、ユーザーＩＤによって、ユーザーＩＤに対応する関係リストを確定することができる。例えば、サーバー１４０は、ユーザーＩＤであるｘｉａｏｍｉｙｏｎｇｈｕによってユーザーＩＤであるｘｉａｏｍｉｙｏｎｇｈｕに対応する関係リストを確定する。
【０１６７】
サブステップ４０２６ｂ：サーバーは、関係のリストを照会して、目標識別子に対応する目標機能の表示情報を確定する。
【０１６８】
サーバー１４０は、ユーザーＩＤに対応する関係リストを確定した後、目標識別子によって前記関係リストを照会して、目標識別子に対応する目標機能の表示情報を確定する。ユーザーＩＤであるｘｉａｏｍｉｙｏｎｇｈｕに対応する関係リストは、下記の表２に示す通りである。
【０１６９】
【表２】
2017526099.tif 000002
【０１７０】
サーバー１４０は、目標識別子であるＩＤ-ＳＸＪ-ＤＪによって表２に示した関係リストを照会して、目標識別子であるＩＤ-ＳＸＪ-ＤＪに対応する目標機能の表示情報がスマートカメラのトークバック機能の表示情報であると確定する。
【０１７１】
サブステップ４０２７ｂ：サーバーが端末に目標機能の表示情報を送信する。前記端末は、目標機能の表示情報によって目標機能のトリガーボタンを表示するために用いられ、目標機能のトリガーボタンをトリガーして生成されるスターティング命令によって目標機能をスターティングすることができる。
【０１７２】
サーバー１４０は、目標識別子に対応する目標機能の表示情報を確定した後、端末１６０に前記目標機能の表示情報を送信することにより、端末１６０が目標機能の表示情報によって目標機能のトリガーボタンを表示することができ、目標機能のトリガーボタンをトリガーして生成されるスターティング命令によって目標機能をスターティングすることができる。例えば、サーバー１４０は、端末１６０にスマートカメラのトークバック機能の表示情報を送信する。
【０１７３】
サブステップ４０２８ｂ：端末は、サーバーが送信する目標識別子に対応する目標機能の表示情報を受信する。目標識別子に対応する目標機能の表示情報は、サーバーが関係リストを照会して確定されるものである。
【０１７４】
サーバー１４０が端末１６０に目標識別子に対応する目標機能の表示情報を送信すると、端末１６０は、サーバー１４０が送信する目標識別子に対応する目標機能の表示情報を受信することができる。例えば、端末１６０は、スマートカメラのトークバック機能の表示情報を受信する。
【０１７５】
サブステップ４０２９ｂ：端末は、目標機能の表示情報によって目標機能のトリガーボタンを表示する。
【０１７６】
端末１６０は、サーバー１４０が送信する目標識別子に対応する目標機能の表示情報を受信すると、目標識別子に対応する目標機能の表示情報によって目標機能のトリガーボタンを表示することができる。例えば、端末１６０は、スマートカメラのトークバック機能の表示情報によって、スマートカメラのトークバック機能のトリガーボタンを表示する。
【０１７７】
第３の方式：例えば、図４-７を参照すると、図４-７は、図４-１に示された実施例に係るまた他の端末１６０がプリセットトリガー命令によって目標機能のトリガーボタンを表示する方法を示すフローチャートである。図４-７を参照すると、前記方法は以下のような複数のステップを含んでもよい。
【０１７８】
サブステップ４０２１ｃ：端末は、目標機能を備える目標機器に関連するクライアントでログインするユーザーＩＤを取得する。
【０１７９】
本発明の実施例において、端末１６０は、目標機器１２０に関連するクライアントがインストールされることができ、前記クライアントでユーザーＩＤにログインすることができ、端末１６０は、前記ユーザーＩＤを取得することができる。例えば、端末１６０は、ユーザーＩＤであるｘｉａｏｍｉｙｏｎｇｈｕを取得する。
【０１８０】
サブステップ４０２２ｃ：端末は、事前に記憶なれたトリガー命令と機器識別子との対応関係を照会して、プリセットトリガー命令に対応する機器識別子を目標機器の機器識別子とする。
【０１８１】
本発明の実施例において、端末１６０は、トリガー命令と機器識別子との対応関係を記憶することができるので、端末１６０は、プリセットトリガー命令を受信した後、プリセットトリガー命令によって、事前に記憶なれたトリガー命令と機器識別子との対応関係を照会するとともに、プリセットトリガー命令に対応する機器識別子を目標機器の機器識別子とすることができる。
【０１８２】
ここで、端末１６０が記憶なれたトリガー命令と機器識別子との対応関係は以下の表３に示された通りである。
【０１８３】
【表３】
2017526099.tif 000003
【０１８４】
端末１６０が受信したプリセットトリガー命令がトリガー命令Ａであるとすると、前記トリガー命令Ａが、ユーザーが右へスライドするジェスチャーを介してトリガーした命令である場合、端末１６０は、表３に示した対応関係を照会してプリセットトリガー命令に対応する機器識別子がＩＤ-ＳＸＪであると確定することができる。よって、端末１６０は、機器識別子であるＩＤ-ＳＸＪを目標機器の機器識別子とすることができる。
【０１８５】
サブステップ４０２３ｃ：端末は、サーバーにユーザーＩＤと目標機器の機器識別子を送信する。前記サーバーは、ユーザーＩＤによってユーザーＩＤに対応する関係リストを確定する。関係リストは、事前に確立された機器識別子と機能表示情報との対応関係を記録する。
【０１８６】
端末１６０は、ユーザーＩＤと目標機器の機器識別子を取得した後、サーバー１４０に前記ユーザーＩＤと目標機器の機器識別子を送信することにより、サーバー１４０が、ユーザーＩＤによって、ユーザーＩＤに対応する関係リストを確定することができ、目標機器の機器識別子によって目標機器の機器識別子に対応する機能表示情報を確定することができる。ここで、ユーザーＩＤに対応する関係リストは、事前に確立された機器識別子と機能表示情報との対応関係を記録することができる。例えば、端末１６０は、サーバー１４０にユーザーＩＤであるｘｉａｏｍｉｙｏｎｇｈｕと目標機器の機器識別子であるＩＤ-ＳＸＪを送信する。
【０１８７】
サブステップ４０２４ｃ：サーバーは、端末が送信するユーザーＩＤと目標機器の機器識別子を受信する。前記目標機器の機器識別子は、端末がプリセットトリガー命令によって、事前に記憶なれたトリガー命令と機器識別子との対応関係を照会して取得されたものである。
【０１８８】
端末１６０は、サーバー１４０にユーザーＩＤと目標機器の機器識別子を送信すると、サーバー１４０は、端末１６０が送信したユーザーＩＤと目標機器の機器識別子を受信することができる。例えば、サーバー１４０は、端末１６０が送信したユーザーＩＤであるｘｉａｏｍｉｙｏｎｇｈｕと目標機器の機器識別子であるＩＤ-ＳＸＪを受信する。
【０１８９】
サブステップ４０２５ｃ：サーバーは、ユーザーＩＤによってユーザーＩＤに対応する関係リストを確定する。前記関係リストは、事前に確立された機器識別子と機能表示情報との対応関係を記録する。
【０１９０】
ここで、サーバー１４０は、複数のユーザーＩＤを記憶することができ、それぞれのユーザーＩＤは、１つの関係のリストに対応し、前記関係リストは、事前に確立された機器識別子と機能表示情報との対応関係を記録することができる。サーバー１４０は、端末１６０が送信したユーザーＩＤと目標機器の機器識別子を受信した後、ユーザーＩＤによって、ユーザーＩＤに対応する関係リストを確定することができる。例えば、サーバー１４０は、ユーザーＩＤであるｘｉａｏｍｉｙｏｎｇｈｕによってユーザーＩＤであるｘｉａｏｍｉｙｏｎｇｈｕに対応する関係リストを確定する。
【０１９１】
サブステップ４０２６ｃ：サーバーは、関係のリストを照会して、目標機器の機器識別子に対応する機能表示情報を確定する。
【０１９２】
サーバー１４０は、ユーザーＩＤに対応する関係リストを確定した後、目標機器の機器識別子によって前記関係リストを照会して、目標機器の機器識別子に対応する機能表示情報を確定することができる。ユーザーＩＤであるｘｉａｏｍｉｙｏｎｇｈｕに対応する関係リストは下記の表４に示す通りである。
【０１９３】
【表４】
2017526099.tif 000004
【０１９４】
サーバー１４０は、目標機器の機器識別子であるＩＤ-ＳＸＪによって、表４に示した関係リストを照会して、目標機器の機器識別子であるＩＤ-ＳＸＪに対応する機能表示情報がスマートカメラのトークバック機能の表示情報とスマートカメラの録画機能の表示情報であると確定することができる。
【０１９５】
サブステップ４０２７ｃ：サーバーは、端末に目標機器の機器識別子に対応する機能表示情報を送信する。前記端末は、目標機器の機器識別子に対応する機能表示情報によって目標機器の機器識別子に対応する機能のトリガーボタンを表示するために用いられ、目標機器の機器識別子に対応する機能のトリガーボタンは目標機能のトリガーボタンを含む。
【０１９６】
サーバー１４０は、目標機器の機器識別子に対応する機能表示情報を確定した後、端末１６０が目標機器の機器識別子に対応する機能表示情報によって、目標機器の機器識別子に対応する機能のトリガーボタンを表示するように、端末１６０に前記目標機器の機器識別子に対応する機能表示情報を送信する。ここで、目標機器の機器識別子に対応する機能のトリガーボタンは目標機能のトリガーボタンを含むことができる。例えば、サーバー１４０は、端末１６０にスマートカメラのトークバック機能の表示情報とスマートカメラの録画機能の表示情報を送信する。
【０１９７】
サブステップ４０２８ｃ：端末は、サーバーが送信する目標機器の機器識別子に対応する機能表示情報を受信する。前記目標機器の機器識別子に対応する機能表示情報は、サーバーが関係リストを照会して確定されるものである。
【０１９８】
サーバー１４０は、端末１６０に目標機器の機器識別子に対応する機能表示情報を送信すると、端末１６０は、サーバー１４０が送信する目標機器の機器識別子に対応する機能表示情報を受信することができる。例えば、端末１６０は、サーバー１４０が送信するスマートカメラのトークバック機能の表示情報とスマートカメラの録画機能の表示情報を受信する。
【０１９９】
サブステップ４０２９ｃ：端末は、目標機器の機器識別子に対応する機能表示情報によって目標機器の機器識別子に対応する機能のトリガーボタンを表示する。前記目標機器の機器識別子に対応する機能のトリガーボタンは目標機能のトリガーボタンを含む。
【０２００】
端末１６０は、サーバー１４０が送信する目標機器の機器識別子に対応する機能表示情報を受信した後、目標機器の機器識別子に対応する機能表示情報によって目標機器の機器識別子に対応する機能のトリガーボタンを表示することができる。ここで、目標機器の機器識別子に対応する機能のトリガーボタンは目標機能のトリガーボタンを含むことができる。例えば、端末１６０は、スマートカメラのトークバック機能の表示情報とスマートカメラの録画機能の表示情報によって、スマートカメラのトークバック機能のトリガーボタンとスマートカメラの録画機能のトリガーボタンを表示することができる。ここで、前記スマートカメラのトークバック機能のトリガーボタンは目標機能のトリガーボタンであってもよい。
【０２０１】
第４の方式：例えば、図４-８を参照すると、図４-８は、図４-１に示された実施例に係るさらに他の端末１６０がプリセットトリガー命令によって目標機能のトリガーボタンを表示する方法を示すフローチャートである。図４-８を参照すると、前記方法は以下のような複数のステップを含んでもよい。
【０２０２】
サブステップ４０２１ｄ：端末は、目標機能を備える目標機器に関連するクライアントでログインするユーザーＩＤを取得する。
【０２０３】
本発明の実施例において、端末１６０は、目標機器１２０に関連するクライアントがインストールされることができ、前記クライアントでユーザーＩＤにログインすることができ、端末１６０は、前記ユーザーＩＤを取得することができる。例えば、端末１６０は、ユーザーＩＤであるｘｉａｏｍｉｙｏｎｇｈｕを取得する。
【０２０４】
サブステップ４０２２ｄ：端末は、サーバーにユーザーＩＤを送信する。前記サーバーは、ユーザーＩＤによってユーザーＩＤとバインディングされる機器の機器識別子リストを確定することができ、機器識別子リストは目標機器の機器識別子と目標機能の表示情報を含む。
【０２０５】
端末１６０は、ユーザーＩＤ取得した後、サーバー１４０が、ユーザーＩＤによってユーザーＩＤとバインディングされる機器の機器識別子リストを確定するように、サーバー１４０に前記ユーザーＩＤを送信することができる。前記機器識別子リストは目標機器の機器識別子と目標機能の表示情報を含むことができる。例えば、端末１６０は、サーバー１４０にユーザーＩＤであるｘｉａｏｍｉｙｏｎｇｈｕを送信する。
【０２０６】
サブステップ４０２３ｄ：サーバーは、端末が送信するユーザーＩＤを受信する。ユーザーＩＤは端末が目標機能に関連するプリセットトリガー命令を受信した後送信するものであり、ユーザーＩＤは目標機器に関連するクライアントでログインするユーザーＩＤであり、目標機器は目標機能を備える。
【０２０７】
端末１６０は、サーバー１４０にユーザーＩＤを送信すると、サーバー１４０は、端末１６０が送信したユーザーＩＤを受信することができる。例えば、サーバー１４０は、端末１６０が送信したユーザーＩＤであるｘｉａｏｍｉｙｏｎｇｈｕを受信する。
【０２０８】
サブステップ４０２４ｄ：サーバーは、ユーザーＩＤによって、ユーザーＩＤとバインディングされる機器の機器識別子リストを確定する。前記機器識別子リストは目標機器の機器識別子と目標機能の表示情報を含むことができる。
【０２０９】
ここで、サーバー１４０は、複数のユーザーＩＤを記憶することができ、それぞれのユーザーＩＤは、複数個の機器とバインディングされることができ、それぞれの機器は、１つの機器識別子を備えることができるので、サーバーは、ユーザーＩＤとバインディングされる機器の機器識別子リストを記憶することができる。前記機器識別子リストは目標機器の機器識別子と目標機能の表示情報を含むことができる。例えば、ユーザーＩＤであるｘｉａｏｍｉｙｏｎｇｈｕとバインディングされる機器の機器識別子リストは以下の表５に示す通りである。
【０２１０】
【表５】
2017526099.tif 000005
【０２１１】
サブステップ４０２５ｄ：サーバーは、端末にユーザーＩＤとバインディングされる機器の機器識別子リストを送信する。端末は、機器識別子リストを表示するために用いられ、ここで、目標機能の表示情報は、目標機能のトリガーボタンの形式で表示される。
【０２１２】
サーバー１４０は、ユーザーＩＤとバインディングされる機器の機器識別子リストを確定した後、端末１６０が前記機器識別子リストを表示するように、端末１６０にユーザーＩＤとバインディングされる機器の機器識別子リストを送信することができる。例えば、サーバー１４０は、端末１６０に、表５に示したような機器識別子リストを送信する。
【０２１３】
サブステップ４０２６ｄ：端末は、サーバーが送信するユーザーＩＤとバインディングされる機器の機器識別子リストを受信する。
【０２１４】
サーバー１４０は、端末１６０にユーザーＩＤとバインディングされる機器の機器識別子リストを送信すると、端末１６０は、サーバー１４０が送信するユーザーＩＤとバインディングされる機器の機器識別子リストを受信することができる。例えば、端末１６０は、サーバー１４０が送信する表５に示したような機器識別子リストを受信する。
【０２１５】
サブステップ４０２７ｄ：端末は、機器識別子リストを表示する。ここで、目標機能の表示情報は、目標機能のトリガーボタン形式で表示される。
【０２１６】
端末１６０は、サーバー１４０が送信する機器識別子リストを受信した後、前記機器識別子リストを表示することができる。ここで、機器識別子のリスト中の機能表示情報が表示される場合、トリガーボタンの形式で表示される。機器識別子リストに目標機器の機器識別子と目標機能の表示情報が含まれるため、端末１６０は、目標機能のトリガーボタンを表示することができる。例えば、端末１６０は、スマートカメラのトークバック機能のトリガーボタンを表示する。なお、実際の応用において、端末１６０が機器識別子リストを表示する場合、機器の名称を表示するが機器識別子を表示しない。例えば、図４-９は、端末１６０の表示インターフェースの説明図であり、図４-９を参照すると、端末１６０は、現在インターフェース４５０を表示し、インターフェース４５０には、機器識別子リストが表示されている。前記機器識別子リストには、スマートコンセント、赤外線リモコン、スマートカメラなどのスマート機器の名称が含まれる。ここで、前記インターフェースは、スマートコンセントのスターティングトリガーボタン４５４、赤外線リモコンの音量を増大するためのトリガーボタン４５３、スマートカメラのトークバック機能のトリガーボタン４５１、及びスマートカメラの録画機能のトリガーボタン４５２がさらに表示される。ユーザーは、スマートカメラのトークバック機能のトリガーボタン４５１をクリックすると、スマートカメラのトークバック機能をスターティングすることができる。
【０２１７】
第５の方式：例えば、図４-１０を参照すると、図４-１に示された実施例に係るさらにまた他の端末１６０がプリセットトリガー命令によって目標機能のトリガーボタンを表示する方法を示すフローチャートである。図４-１０を参照すると、前記方法は以下のような複数のステップを含んでもよい。
【０２１８】
サブステップ４０２１ｅ：端末は、目標機能を備える目標機器に関連するクライアントでログインするユーザーＩＤを取得する。
【０２１９】
本発明の実施例において、端末１６０は、目標機器１２０に関連するクライアントがインストールされることができ、前記クライアントでユーザーＩＤにログインすることができ、端末１６０は、前記ユーザーＩＤを取得することができる。例えば、端末１６０は、ユーザーＩＤであるｘｉａｏｍｉｙｏｎｇｈｕを取得する。
【０２２０】
サブステップ４０２２ｅ：端末は、サーバーにユーザーＩＤを送信する。サーバーは、ユーザーＩＤによって、ユーザーＩＤとバインディングされる機器の機器識別子リストを確定し、機器識別子リストは目標機器の機器識別子を含む。
【０２２１】
端末１６０は、ユーザーＩＤを取得した後、サーバー１４０が、ユーザーＩＤによってユーザーＩＤとバインディングされる機器の機器識別子リストを確定するように、サーバー１４０に前記ユーザーＩＤを送信することができる。例えば、端末１６０は、サーバー１４０に前記ユーザーＩＤであるｘｉａｏｍｉｙｏｎｇｈｕを送信する。
【０２２２】
サブステップ４０２３ｅ：サーバーは、端末が送信するユーザーＩＤを受信する。ユーザーＩＤは端末が目標機能に関連するプリセットトリガー命令を受信した後送信するものであり、ユーザーＩＤは目標機器に関連するクライアントでログインするユーザーＩＤであり、目標機器は目標機能を備える。
【０２２３】
端末１６０は、サーバー１４０にユーザーＩＤを送信すると、サーバー１４０は、端末１６０が送信したユーザーＩＤを受信することができる。例えば、サーバー１４０は、端末１６０が送信したユーザーＩＤであるｘｉａｏｍｉｙｏｎｇｈｕを受信する。
【０２２４】
サブステップ４０２４ｅ：サーバーは、ユーザーＩＤによって、ユーザーＩＤとバインディングされる機器の機器識別子リストを確定し、機器識別子リストは目標機器の機器識別子を含む。
【０２２５】
ここで、サーバー１４０は、複数のユーザーＩＤを記憶することができ、それぞれのユーザーＩＤは、複数の機器とバインディングすることができ、それぞれの機器は、１つの機器識別子を備えるので、サーバーは、ユーザーＩＤとバインディングされる機器の機器識別子リストを記憶することができる。前記機器識別子リストは目標機器の機器識別子を含むことができる。例えば、ユーザーＩＤであるｘｉａｏｍｉｙｏｎｇｈｕとバインディングされる機器の機器識別子リストは、表６に示す通りである。
【０２２６】
【表６】
2017526099.tif 000006
【０２２７】
表６を参照すると、ここで、ＩＤ-ＣＺは、スマートコンセント機器識別子であり、ＩＤ-ＹＫＱは、赤外線リモコンの機器識別子であり、ＩＤ-ＳＸＪは、スマートカメラの機器識別子である。本発明の実施例において、目標機器は、スマートカメラであってもよいので、表６を参照すると、ユーザーＩＤであるｘｉａｏｍｉｙｏｎｇｈｕとバインディングされる機器の機器識別子リストは目標機器の機器識別子を含む。
【０２２８】
サブステップ４０２５ｅ：サーバーは、端末に機器識別子リストを送信する。端末は、機器識別子リストを表示するために用いられ、目標機器の機器識別子をトリガーして生成されるトリガー命令を受信する。
【０２２９】
サーバー１４０は、ユーザーＩＤとバインディングされる機器の機器識別子リストを確定した後、端末１６０が前記機器識別子リストを表示するように、端末１６０に機器識別子リストを送信することができる。例えば、サーバー１４０は、端末１６０に、表６に示される機器識別子リストを送信する。
【０２３０】
サブステップ４０２６ｅ：端末は、サーバーが送信するユーザーＩＤとバインディングされる機器の機器識別子リストを受信する。
【０２３１】
サーバー１４０は、端末１６０に機器識別子リストを送信した後、端末１６０は、サーバー１４０が送信する機器識別子リストを受信することができる。例えば、端末１６０は、サーバー１４０が送信する表６に示される機器識別子リストを受信する。
【０２３２】
サブステップ４０２７ｅ：端末は、機器識別子リストを表示する。
【０２３３】
端末１６０は、サーバー１４０が送信する機器識別子リストを受信した後、前記機器識別子リストを表示することができる。なお、端末１６０が機器識別子リストを表示する場合は、機器識別子リストにおける機器識別子に対応する機器の名称を表示し、機器識別子を表示しない。例えば、図４-１１は、端末１６０の他の表示インターフェースの説明図であり、図４-１１を参照すると、端末１６０は、現在インターフェース４６０を表示し、インターフェース４６０には、機器識別子リストが表示される。前記機器識別子リストは、スマートコンセント、赤外線リモコン、スマートカメラなどのスマート機器の名称を含むことができる。
【０２３４】
サブステップ４０２８ｅ：端末は、目標機器の機器識別子をトリガーして生成されるタッチ命令を受信する。
【０２３５】
端末１６０は、機器識別子リストを表示した後、ユーザーは、端末１６０が表示する機器識別子リストに表示される機器識別子を操作して、目標機器の機器識別子に対するタッチ命令をトリガーすることができる。例えば、図４-１１に示すように、ユーザーが、端末１６０が現在表示されるスマートカメラをクリックすると、スマートカメラに対するタッチ命令をトリガーすることができる。端末１６０は、ユーザーが目標機器の機器識別子をトリガーして生成されるタッチ命令を受信することができる。例えば、端末１６０は、スマートカメラをトリガーして生成されるタッチ命令を受信する。
【０２３６】
サブステップ４０２９ｅ：端末は、サーバーにタッチ命令を送信する。前記サーバーは、タッチ命令によって目標機器の機器識別子に対応する制御インターフェースの表示情報を確定する。制御インターフェースの表示情報は、目標機能の表示情報を含む。
【０２３７】
端末１６０は、ユーザーがトリガーしたタッチ命令を受信した後、サーバー１４０がタッチ命令によって目標機器の機器識別子に対応する制御インターフェースの表示情報を確定するように、サーバー１４０に前記タッチ命令を送信することができる。ここで、制御インターフェースの表示情報は、目標機能の表示情報を含む。例えば、端末１６０は、サーバーにスマートカメラをトリガーして生成されるタッチ命令を送信する。
【０２３８】
サブステップ４０３０ｅ：サーバーは、端末が送信するタッチ命令を受信する。
【０２３９】
端末１６０は、サーバー１４０にタッチ命令を送信すると、サーバー１４０は、端末１６０が送信するタッチ命令を受信することができる。例えば、サーバー１４０は、端末１６０が送信するスマートカメラをトリガーして生成されるタッチ命令を受信する。
【０２４０】
サブステップ４０３１ｅ：サーバーは、タッチ命令によって目標機器の機器識別子に対応する制御インターフェースの表示情報を確定する。制御インターフェースの表示情報は、目標機能の表示情報を含む。
【０２４１】
ここで、タッチ命令は、目標機器１２０の機器識別子を備えることができ、サーバー１４０は、機器識別子と制御インターフェースの表示情報との対応関係を記憶することができ、サーバー１４０は、端末１６０が送信するタッチ命令を受信した後、タッチ命令中の目標機器１２０の機器識別子によって、機器識別子と制御インターフェースの表示情報との対応関係を照会して、目標機器１２０の機器識別子に対応する制御インターフェースの表示情報を確定することができる。ここで、制御インターフェースの表示情報は、目標機能の表示情報を含むことができる。例えば、制御インターフェースの表示情報は、スマートカメラの録画インターフェースの表示情報であり、制御インターフェースの表示情報は、トークバック機能の表示情報を含む。
【０２４２】
サブステップ４０３２ｅ：サーバーは、端末に制御インターフェースの表示情報を送信する。前記端末は、制御インターフェースの表示情報によって制御インターフェースを表示し、制御インターフェースは、目標機能のトリガーボタンを含む。
【０２４３】
サーバー１４０は、目標機器１２０の機器識別子に対応する制御インターフェースの表示情報を確定した後、端末が制御インターフェースの表示情報によって制御インターフェースを表示するように、端末１６０に制御インターフェースの表示情報を送信することができる。例えば、サーバー１４０は、端末１６０にスマートカメラの録画インターフェースの表示情報を送信する。前記スマートカメラの録画インターフェースの表示情報は、トークバック機能の表示情報を含むことができる。
【０２４４】
サブステップ４０３３ｅ：端末は、サーバーが送信する制御インターフェースの表示情報を受信する。
【０２４５】
サーバー１４０は、端末１６０に制御インターフェースの表示情報を送信した後、端末１６０は、サーバー１４０が送信する制御インターフェースの表示情報を受信することができる。例えば、端末１６０は、サーバー１４０が送信するスマートカメラの録画インターフェースの表示情報を受信する。
【０２４６】
サブステップ４０３４ｅ：端末は、制御インターフェースの表示情報によって制御インターフェースを表示し、制御インターフェースは、目標機能のトリガーボタンを含む。
【０２４７】
端末１６０は、サーバー１４０が送信する制御インターフェースの表示情報を受信した後、制御インターフェースの表示情報によって制御インターフェースを表示することができる。例えば、端末１６０は、スマートカメラの録画インターフェースの表示情報によって、スマートカメラの録画インターフェースを表示する。
【０２４８】
例えば、図４-１２は、端末１６０のもう一つの表示インターフェースの説明図である。図４-１２を参照すると、端末１６０は、現在制御インターフェース４７０を表示し、制御インターフェース４７０は、スマートカメラの録画インターフェースであり、制御インターフェース４７０には、スマートカメラのトークバック機能のトリガーボタン４７１、スイッチのトリガーボタン４７２、及び録画機能のトリガーボタン４７３がさらに表示される。ここで、トークバック機能のトリガーボタン４７１は目標機能のトリガーボタンであってもよい。ユーザーがトークバック機能のトリガーボタン４７１をクリックすると、端末１６０は、スマートカメラのトークバック機能をスターティングすることができる。
【０２４９】
なお、本発明の実施例に係る目標機能のスターティング方法において、ステップの前後順序を適当に調整することができ、ステップは状況に応じて相応的に増減することができ、当業者であれば、本発明の開示した技術範囲内で変化する方式を容易に考え出すことができ、すべてが本発明の保護範囲内に含まれるため、冗長に説明しない。
【０２５０】
以上を纏めると、本発明の実施例に係る目標機能のスターティング方法は、目標機能に関連するプリセットトリガー命令を受信し、プリセットトリガー命令によって目標機能のトリガーボタンを表示し、目標機能のトリガーボタンをトリガーして生成されるスターティング命令を受信し、スターティング命令によって目標機能をスターティングすることができる。従って、フォアグラウンドでクライアントをログインする必要がなくなり、制御インターフェースに入ると、目標機能をスターティングすることができて、関連技術に存在する目標機能のスターティング過程が複雑な問題を解決することができ、目標機能のスターティング過程を簡素化する効果を獲得することができる。
【０２５１】
以下は、本発明に係る装置の実施例であり、本発明に係る方法の実施例の実行に適用することができる。本発明に係る装置の実施例で開示していない詳細な部分に関しては、本発明に係る方法の実施例を参照すればよい。
【０２５２】
図５-１は、一例示的な実施例に係る目標機能のスターティング装置５００を示すブロック図であり、前記目標機能のスターティング装置５００は、ソフトウェア、ハードウェア、又は両者の組み合わせを介して、図１に示された実施環境の端末１６０の一部又は全部を実現することができる。図５を参照すると、前記目標機能のスターティング装置５００は、
目標機能に関連するプリセットトリガー命令を受信するように構成される第１の受信モジュール５１０と、
第１の受信モジュール５１０が受信したプリセットトリガー命令によって目標機能のトリガーボタンを表示するように構成される表示モジュール５２０と、
表示モジュール５２０が表示された目標機能のトリガーボタンをトリガーして生成されるスターティング命令を受信するように構成される第２の受信モジュール５３０と、
第２の受信モジュール５３０が受信したスターティング命令によって目標機能をスターティングするように構成されるスターティングモジュール５４０と、を備えてもよい。
【０２５３】
以上を纏めると、本発明の実施例に係る目標機能のスターティング装置は、目標機能に関連するプリセットトリガー命令を受信し、プリセットトリガー命令によって目標機能のトリガーボタンを表示し、目標機能のトリガーボタンをトリガーして生成されるスターティング命令を受信し、スターティング命令によって目標機能をスターティングすることができる。従って、フォアグラウンドでクライアントにログインする必要がなくなり、制御インターフェースに入ると、目標機能をスターティングすることができて、関連技術に存在する目標機能のスターティング過程が複雑な問題を解決することができ、目標機能のスターティング過程を簡素化する効果を獲得することができる。
【０２５４】
好ましくは、第１の受信モジュール５１０は、端末のスクリーンに対する、プリセットグリップジェスチャー命令及びプリセットボタン操作命令のうちいずれか一つを含むウェイクアップ命令を受信し、ウェイクアップ命令によって端末のスクリーンをウェイクアップさせながらスクリーンロックインターフェースを表示し、スクリーンロックインターフェースで目標機能に関連するプリセットトリガー命令を受信するように構成されてもよい。
【０２５５】
ここで、前記プリセットグリップジェスチャー命令は、プリセットグリップジェスチャーで端末をグリップすることにより生成される命令であり、前記プリセットボタン操作命令は、プリセットタッチジェスチャーで、前記端末のウェイクアップボタンをトリガーすることにより生成される命令である。
【０２５６】
好ましくは、図５-２は、図５-１に示された実施例に係る表示モード５２０を示すブロック図であり、図５-２を参照すると、前記表示モジュール５２０は、
目標機能を備える目標機器に関連するクライアントでログインするユーザーＩＤを取得するように構成される第１の取得サブモジュール５２１と、
サーバーからユーザーＩＤとバインディングされる目標機器の目標機能の表示情報を取得するように構成される第２の取得サブモジュール５２２と、
目標機能の表示情報によって目標機能のトリガーボタンを表示するように構成される表示サブモジュール５２３と、を備えてもよい。
【０２５７】
好ましくは、第２の取得サブモジュール５２２は、ユーザーＩＤによって、代替機能集合中の各機能の機能表示情報を確定するサーバーに、ユーザーＩＤを送信し、サーバーが送信する前記代替機能集合の中の各機能の機能表示情報を受信するように構成されてもよい。ここで、前記代替機能集合は、ユーザーＩＤとバインディングされる機器が備えた機能の集合であり、前記代替機能集合は目標機器の目標機能を含む。
【０２５８】
表示サブモジュール５２３は、代替機能集合中の各機能の機能表示情報によって代替機能集合中の各機能のトリガーボタンを表示するように構成されてもよい。
【０２５９】
好ましくは、第２の取得サブモジュール５２２は、事前に記憶なれたトリガー命令と機器の機能識別子との対応関係を照会して、プリセットトリガー命令に対応する機器の機能識別子を、目標機器の機器識別子及び前記目標機能の識別子を含む目標識別子とし、ユーザーＩＤによってユーザーＩＤに対応する関係リストを確定するサーバーに、ユーザーＩＤ及び目標識別子を送信し、サーバーが送信する目標識別子に対応する目標機能の表示情報を受信するように構成されてもよい。ここで、前記関係リストは、事前に確立された機器の機能識別子と機能表示情報との対応関係を記録し、前記目標識別子に対応する目標機能の表示情報は、サーバーが関係リストを照会して確定されるものである。
【０２６０】
好ましくは、第２の取得サブモジュール５２２は、事前に記憶なれたトリガー命令と機器識別子との対応関係を照会して、プリセットトリガー命令に対応する機器識別子を、目標機器の機器識別子とし、ユーザーＩＤによってユーザーＩＤに対応する関係リストを確定するサーバーに、ユーザーＩＤ及び目標機器の機器識別子を送信し、サーバーが送信する目標機器の機器識別子に対応する機能表示情報を受信するように構成されてもよい。ここで、前記関係リストは、事前に確立された機器識別子と機能表示情報との対応関係を記録し、前記目標機器の機器識別子に対応する機能表示情報は、サーバーが関係リストを照会して確定されるものである。
【０２６１】
表示サブモジュール５２３は、目標機器の機器識別子に対応する機能表示情報によって目標機器の機器識別子に対応する機能のトリガーボタンを表示するように構成されてもよい。ここで、前記目標機器の機器識別子に対応する機能のトリガーボタンは目標機能のトリガーボタンを含む。
【０２６２】
好ましくは、第２の取得サブモジュール５２２は、ユーザーＩＤによってユーザーＩＤとバインディングされる機器の機器識別子リストを確定するサーバーに、ユーザーＩＤを送信し、サーバーが送信するユーザーＩＤとバインディングされる機器の機器識別子リストを受信するように構成されてもよい。ここで、前記機器識別子リストには、目標機器の機器識別子及び目標機能の表示情報が含まれる。
【０２６３】
表示サブモジュール５２３は、目標識別子リストを表示するように構成されてもよい。ここで、前記目標機能の表示情報は、目標機能のトリガーボタンの形式で表示される。
【０２６４】
好ましくは、第２の取得サブモジュール５２２は、ユーザーＩＤによってユーザーＩＤとバインディングされる機器の機器識別子リストを確定するサーバーに、ユーザーＩＤを送信し、サーバーが送信するユーザーＩＤとバインディングされる機器の機器識別子リストを受信して、機器識別子リストを表示し、目標機器の機器識別子をトリガーして生成されるタッチ命令を受信して、タッチ命令によって目標機器の機器識別子に対応する制御インターフェースの表示情報を確定するサーバーにタッチ命令を送信するように構成されてよい。ここで、前記機器識別子のリストには目標機器の機器識別子が含まれ、前記制御インターフェースの表示情報には目標機能の表示情報が含まれる。
【０２６５】
表示サブモジュール５２３は、制御インターフェースの表示情報によって目標機能のトリガーボタンを含む制御インターフェースを表示するように構成されてもよい。
【０２６６】
好ましくは、目標機器カメラであり、目標機能はトークバック機能である。
【０２６７】
以上を纏めると、本発明の実施形態に係る目標機能のスターティング装置は、目標機能に関連するプリセットトリガー命令を受信し、プリセットトリガー命令によって目標機能のトリガーボタンを表示し、目標機能のトリガーボタンをトリガーして生成されるスターティング命令を受信し、スターティング命令によって目標機能をスターティングすることができる。従って、フォアグラウンドでクライアントにログインする必要がなくなり、制御インターフェースに入ると、目標機能をスターティングすることができて、関連技術に存在する目標機能のスターティング過程が複雑な問題を解決することができ、目標機能のスターティング過程を簡素化する効果を獲得することができる。
【０２６８】
図６は、一例示的な実施例に係るまた他の目標機能のスターティング装置６００を示すブロック図であり、前記目標機能のスターティング装置６００は、ソフトウェア、ハードウェア、又は両者の組み合わせで図１に示された実施環境のサーバー１４０の一部又は全部を実現することができる。図６を参照すると、前記目標機能のスターティング装置６００は、
端末が送信するユーザーＩＤを受信するように構成される受信モジュール６１０と、
受信モジュール６１０が受信したユーザーＩＤとバインディングされる目標機器の目標機能の表示情報を取得するように構成される取得モジュール６２０と、
端末に取得モジュール６２０が取得した目標機能の表示情報を送信するように構成される送信モジュール６３０と、を備えてもよい。
【０２６９】
ここで、前記ユーザーＩＤは端末が目標機能に関連するプリセットトリガー命令を受信した後送信するものであり、前記ユーザーＩＤは目標機器に関連するクライアントでログインするユーザーＩＤであり、前記目標機器は目標機能を備え、
前記端末は、目標機能の表示情報によって目標機能のトリガーボタンを表示し、目標機能のトリガーボタンをトリガーして生成されるスターティング命令によって目標機能をスターティングすることができる。
【０２７０】
以上を纏めると、本発明の実施例に係る目標機能のスターティング装置は、端末が送信するユーザーＩＤを受信し、ユーザーＩＤとバインディングされる目標機器の目標機能の表示情報を取得し、端末に目標機能の表示情報を送信することにより端末が目標機能の表示情報によって目標機能のトリガーボタンを表示することができ、目標機能のトリガーボタンをトリガーして生成されるスターティング命令によって目標機能をスターティングすることができる。従って、フォアグラウンドでクライアントにログインする必要がなくなり、制御インターフェースに入ると、目標機能をスターティングすることができて、関連技術に存在する目標機能のスターティング過程が複雑な問題を解決することができ、目標機能のスターティング過程を簡素化する効果を獲得することができる。
【０２７１】
好ましくは、取得モジュール６２０は、ユーザーＩＤによって、代替機能集合中の各機能の表示情報を確定するように構成されてもよい。ここで、前記代替機能集合は、ユーザーＩＤとバインディングされる機器が備えた機能の集合であり、前記代替機能集合は目標機器の目標機能を含む。
【０２７２】
送信モジュール６３０は、代替機能集合中の各機能の機能表示情報によって代替機能集合中の各機能のトリガーボタンを表示する端末に、代替機能集合中の各機能の表示情報を送信するように構成されてもよい。
【０２７３】
好ましくは、取得モジュール６２０は、端末が送信するユーザーＩＤ及び目標識別子を受信し、ユーザーＩＤによってユーザーＩＤに対応する関係リストを確定し、関係リストを照会して、目標識別子に対応する目標機能の表示情報を確定するように構成されてもよい。ここで、前記目標識別子は、端末がプリセットトリガー命令によって、事前に記憶なれたトリガー命令と機器の機能識別子との対応関係を照会して取得するものであり、前記目標識別子は、目標機器の機器識別子及び目標機能の識別子を含み、関係リストは、事前に確立された機器の機能識別子と機能表示情報との対応関係を記録する。
【０２７４】
好ましくは、取得モジュール６２０は、端末が送信するユーザーＩＤ及び目標機器の機器識別子を受信し、ユーザーＩＤによってユーザーＩＤに対応する関係リストを確定し、関係リストを照会して目標機器の機器識別子に対応する機能表示情報を確定するように構成されてもよい。ここで、前記目標機器の機器識別子は、端末がプリセットトリガー命令によって、事前に記憶なれたトリガー命令と機器識別子との対応関係を照会して取得するものであり、前記関係リストは、事前に確立された機器識別子と機能表示情報との対応関係を記録する。
【０２７５】
送信モジュール６３０は、目標機器の機器識別子に対応する機能表示情報によって目標機器の機器識別子に対応する機能のトリガーボタンを表示する端末に、目標機器の機器識別子に対応する機能表示情報を送信するように構成されてもよい。ここで、前記目標機器の機器識別子に対応する機能のトリガーボタンは目標機能のトリガーボタンを含む。
【０２７６】
好ましくは、取得モジュール６２０は、ユーザーＩＤによってユーザーＩＤとバインディングされる機器の機器識別子リストを確定するように構成されてもよい。ここで、前記機器識別子リストには、目標機器の機器識別子及び目標機能の表示情報が含まれる。
【０２７７】
送信モジュール６３０は、機器識別子リストを表示する端末に、ユーザーＩＤとバインディングされる機器の機器識別子リストを送信するように構成されてもよい。ここで、前記目標機能の表示情報は、目標機能のトリガーボタンの形式で表示される。
【０２７８】
好ましくは、取得モジュール６２０は、ユーザーＩＤによってユーザーＩＤとバインディングされる機器の機器識別子リストを確定して機器識別子リストを表示し、目標機器の機器識別子をトリガーして生成されるタッチ命令を受信する端末に、機器識別子リストを送信し、端末が送信するタッチ命令を受信して、タッチ命令によって目標機器の機器識別子に対応する制御インターフェースの表示情報を確定するように構成されてもよい。ここで、前記機器識別子リストには、目標機器の機器識別子が含まれ、前記制御インターフェースの表示情報には、目標機能の表示情報が含まれる。
【０２７９】
送信モジュール６３０は、制御インターフェース表示情報によって制御インターフェースを表示する端末に、制御インターフェースの表示情報を送信するように構成されてもよい。ここで、前記制御インターフェースは、目標機能のトリガーボタンを含む。
【０２８０】
好ましくは、目標機器カメラであり、目標機能はトークバック機能である。
【０２８１】
以上を纏めると、本発明の実施形態に係る目標機能のスターティング装置は、端末が送信するユーザーＩＤを受信し、ユーザーＩＤとバインディングされる目標機器の目標機能の表示情報を取得し、端末に目標機能の表示情報を送信することにより端末が目標機能の表示情報によって目標機能のトリガーボタンを表示することができ、目標機能のトリガーボタンをトリガーして生成されるスターティング命令によって目標機能をスターティングすることができる。従って、フォアグラウンドでクライアントにログインする必要がなくなり、制御インターフェースに入ると、目標機能をスターティングすることができて、関連技術に存在する目標機能のスターティング過程が複雑な問題を解決することができ、目標機能のスターティング過程を簡素化させる効果を獲得することができる。
【０２８２】
図７は、一例示的な実施例に係る目標機能のスターティングための装置７００を示すブロック図である。例えば、装置７００は、携帯電話、コンピューター、デジタルブロードキャスト端末、メッセージ送受信機、ゲーム機、タブレットデバイス、医療機器、フィットネス機器、ＰＤＡ等のものであってもよい。
【０２８３】
図７を参照すると、装置７００は、処理ユニット７０２、メモリ７０４、電源ユニット７０６、マルチメディアユニット７０８、オーディオユニット７１０、入力/出力（Ｉ/Ｏ）インターフェース７１２、センサーユニット７１４、及び通信ユニット７１６からなる群から選ばれる少なくとも１つを備えてもよい。
【０２８４】
処理ユニット７０２は、一般的には、装置７００の全体の操作、例えば、表示、電話呼び出し、データ通信、カメラ操作及び記録操作に関連する操作を制御する。処理ユニット７０２は、上述した方式におけるステップの一部又は全部を実現できるように、命令を実行する少なくとも１つのプロセッサー７２０を備えてもよい。また、処理ユニット７０２は、他のユニットとのインタラクションを便利にさせるように、少なくとも１つのモジュールを備えてもよい。例えば、処理ユニット７０２は、マルチメディアユニット７０８とのインタラクションを便利にさせるように、マルチメディアモジュールを備えてもよい。
【０２８５】
メモリ７０４は、装置７００での操作をサポートするように、各種のデータを記憶するように配置される。これらのデータは、例えば、装置７００で何れのアプリケーション又は方式を操作するための命令、連絡先データ、電話帳データ、メッセージ、画像、ビデオ等を含む。メモリ７０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０２８６】
電源ユニット７０６は、装置７００の各種ユニットに電力を供給するためのものであり、電源管理システム、１つ又は複数の電源、及び装置７００のために電力を生成、管理及び分配することに関連する他のユニットを備えてもよい。
【０２８７】
マルチメディアユニット７０８は、装置７００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作に関連する持続時間や圧力も感知できる。一実施例では、マルチメディアユニット７０８は、フロントカメラ及び/又はバックカメラを有してもよい。装置７００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０２８８】
オーディオユニット７１０は、オーディオ信号を出力及び/又は入力するように配置される。例えば、オーディオユニット７１０は、マイクロフォン（ＭｉＣ）を有してもよい。装置７００が、例えば、呼び出しモード、記録モード、又は音声認識モードのような操作モードにあるとき、マイクロフォンは、外部のオーディオ信号を受信するように配置される。受信したオーディオ信号は、メモリ７０４にさらに記憶されてもよいし、通信ユニット７１６を介して送信されてもよい。一実施例では、オーディオユニット７１０は、オーディオ信号を出力するためのスピーカをさらに備えてもよい。
【０２８９】
Ｉ/Ｏインターフェース７１２は、処理ユニット７０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０２９０】
センサーユニット７１４は、装置７００のために各方面の状態を評価する少なくとも１つのセンサーを備えてもよい。例えば、センサーユニット７１４は、装置７００のオン/オフ状態や、ユニットの相対的な位置を検出することができる。例えば、前記ユニットは、装置７００のディスプレイ及びキーパッドである。センサーユニット７１４は、装置７００又は装置７００の１つのユニットの位置の変化、ユーザーが装置７００に接触しているか否か、装置７００の方向又は加速/減速、及び、装置７００の温度変化を検出することができる。センサーユニット７１４は、何れの物理的な接触もない場合に付近の物体を検出するように配置される近接センサーを有してもよい。センサーユニット７１４は、イメージングアプリケーションに用いるための光センサー、例えば、ＣＭＯＳ又はＣＣＤ画像センサーを有してもよい。一実施例では、当該センサーユニット７１４は、加速度センサー、ジャイロスコープセンサー、磁気センサー、圧力センサー又は温度センサーをさらに備えてもよい。
【０２９１】
通信ユニット７１６は、装置７００と他の設備の間との無線又は有線通信を便利にさせるように配置される。装置７００は、通信標準に基づく無線ネットワーク、例えば、ＷｉＦｉ、２Ｇ又は３Ｇ、又はそれらの組み合わせにアクセスできる。１つの例示的な実施例では、通信ユニット７１６は、ブロードキャストチャンネルを介して外部のブロードキャスト管理システムからのブロードキャスト信号又はブロードキャストに関する情報を受信する。１つの例示的な実施例では、前記通信ユニット７１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ（登録商標））技術及び他の技術によって実現されてもよい。
【０２９２】
例示的な実施例では、装置７００は、上述した方式を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、数字信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０２９３】
例示的な実施例では、命令を有する非一時的コンピューター読み取り可能な記録媒体、例えば、命令を有するメモリ７０４をさらに提供する。前記命令は、装置７００のプロセッサー７２０により実行されて上述した方式を実現する。例えば、前記非一時的コンピューター読み取り可能な記録媒体は、ＲＯＭ、ＲＡＭ、ＣＤ-ＲＯＭ、磁気テープ、フロッピー（登録商標）ディスク及び光データメモリ等であってもよい。
【０２９４】
非一時的コンピューター可読記録媒体は、前記記録媒体における命令が装置７００のプロセッサーにより実行されると、装置７００が目標機能のスターティング方法を実行するようにする。前記方式は、
目標機能に関連するプリセットトリガー命令を受信するステップと、
プリセットトリガー命令によって目標機能のトリガーボタンを表示するステップと、
目標機能のトリガーボタンをトリガーして生成されるスターティング命令を受信するステップと、
スターティング命令によって目標機能をスターティングするステップと、を含む。
【０２９５】
好ましくは、目標機能に関連するプリセットトリガー命令を受信するステップは、
端末のスクリーンに対する、プリセットグリップジェスチャー命令及びプリセットボタン操作命令のうちいずれか一つを含むウェイクアップ命令を受信するステップと、
ウェイクアップ命令によって端末のスクリーンをウェイクアップさせながら、スクリーンロックインターフェースを表示するステップと、
スクリーンロックインターフェースで目標機能に関連するプリセットトリガー命令を受信するステップと、を含み、
前記プリセットグリップジェスチャー命令は、プリセットグリップジェスチャーで端末をグリップすることにより生成される命令であり、前記プリセットボタン操作命令は、プリセットタッチジェスチャーで端末のウェイクアップボタンをトリガーすることにより生成される命令である。
【０２９６】
好ましくは、プリセットトリガー命令によって目標機能のトリガーボタンを表示するステップは、
目標機能を備える目標機器に関連するクライアントでログインするユーザーＩＤを取得するステップと、
サーバーからユーザーＩＤとバインディングされる目標機器の目標機能の表示情報を取得するステップと、
目標機能の表示情報によって目標機能のトリガーボタンを表示するステップと、を含む。
【０２９７】
好ましくは、サーバーからユーザーＩＤとバインディングされる目標機器の目標機能の表示情報を取得するステップは、
ユーザーＩＤによって代替機能集合中の各機能の機能表示情報を確定するサーバーに、ユーザーＩＤを送信するステップと、
サーバーが送信する代替機能集合中の各機能の機能表示情報を受信するステップと、を含み、
前記代替機能集合は、前記ユーザーＩＤとバインディングされる機器が備える機能の集合であり、前記代替機能集合は前記目標機器の目標機能を含み、
目標機能の表示情報によって目標機能のトリガーボタンを表示するステップは、
代替機能集合中の各機能の機能表示情報によって代替機能集合中の各機能のトリガーボタンを表示するステップを含む。
【０２９８】
好ましくは、サーバーからユーザーＩＤとバインディングされる目標機器の目標機能の表示情報を取得するステップは、
事前に記憶なれたトリガー命令と機器の機能識別子との対応関係を照会して、プリセットトリガー命令に対応する機器の機能識別子を、目標機器の機器識別子及び目標機能の識別子を含む目標識別子とするステップと、
ユーザーＩＤによってユーザーＩＤに対応する関係リストを確定するサーバーに、ユーザーＩＤ及び目標識別子を送信するステップと、
サーバーが送信する目標識別子に対応する目標機能の表示情報を受信するステップと、を含み、
関係リストは、事前に確立された機器の機能識別子と機能表示情報との対応関係を記録し、
目標識別子に対応する目標機能の表示情報は、サーバーが関係リストを照会して確定されるものである。
【０２９９】
好ましくは、サーバーからユーザーＩＤとバインディングされる目標機器の目標機能の表示情報を取得するステップは、
事前に記憶なれたトリガー命令と機器識別子との対応関係を照会して、プリセットトリガー命令に対応する機器識別子を目標機器の機器識別子とするステップと、
ユーザーＩＤによってユーザーＩＤに対応する関係リストを確定するサーバーに、ユーザーＩＤ及び目標機器の機器識別子を送信するステップと、
サーバーが送信する目標機器の機器識別子に対応する機能表示情報を受信するステップと、を含み、
関係リストは、事前に確立された機器識別子と機能表示情報との対応関係を記録し、
目標機器の機器識別子に対応する機能表示情報は、サーバーが関係リストを照会して確定されるものであり、
目標機能の表示情報によって目標機能のトリガーボタンを表示するステップは、
目標機器の機器識別子に対応する機能表示情報によって目標機器の機器識別子に対応する機能のトリガーボタンを表示するステップを含み、目標機器の機器識別子に対応する機能のトリガーボタンは目標機能のトリガーボタンを含む。
【０３００】
好ましくは、サーバーからユーザーＩＤとバインディングされる目標機器の目標機能の表示情報を取得するステップは、
ユーザーＩＤによってユーザーＩＤとバインディングされる機器の機器識別子リストを確定するサーバーにユーザーＩＤを送信するステップと、
サーバーが送信するユーザーＩＤとバインディングされる機器の機器識別子リストを受信するステップと、を含み、
前記機器識別子リストには、目標機器の機器識別子及び目標機能の表示情報が記憶され、
目標機能の表示情報によって目標機能のトリガーボタンを表示するステップは、
目標識別子リストを表示するステップを含み、ここで、目標機能の表示情報は、目標機能のトリガーボタンの形式で表示される。
【０３０１】
好ましくは、サーバーからユーザーＩＤとバインディングされる目標機器の目標機能の表示情報を取得するステップは、
ユーザーＩＤによってユーザーＩＤとバインディングされる機器の機器識別子リストを確定するサーバーに、ユーザーＩＤを送信するステップと、
サーバーが送信するユーザーＩＤとバインディングされる機器の機器識別子リストを受信するステップと、
機器識別子リストを表示するステップと、
目標機器の機器識別子をトリガーして生成されるタッチ命令を受信するステップと、
タッチ命令によって目標機器の機器識別子に対応する制御インターフェースの表示情報を確定するサーバーに、タッチ命令を送信するステップと、
サーバーが送信する制御インターフェースの表示情報を受信するステップと、を含み、
前記機器識別子のリストには、目標機器の機器識別子が含まれ、
前記制御インターフェースの表示情報には、目標機能の表示情報が含まれ、
目標機能の表示情報によって目標機能のトリガーボタンを表示するステップは、
制御インターフェースの表示情報によって目標機能のトリガーボタンを含む制御インターフェースを表示する。
【０３０２】
好ましくは、目標機器カメラであり、目標機能はトークバック機能である。
【０３０３】
図８は、一例示的な実施例に係る目標機能のスターティングための装置８００を示すブロック図である。例えば、装置８００は、サーバーとして提供されてもよい。図８を参照すると、装置８００は、１つ以上のプロセッサーがさらに含まれた処理ユニット８２２と、処理ユニット８２２により実行可能な命令、例えばプログラムを記憶するメモリ８３２を代表とするメモリリソースとを含む。メモリ８３２に記憶されたアプリケーションプログラムは、１つ以上のそれぞれが一組の命令に対応するモジュールを含んでもよい。また、前記目標機能のスターティング方法を実行するために、処理ユニット８２２は命令を実行するように配置される。
【０３０４】
装置８００は、装置８００の電源管理を実行するように配置された電源ユニット８２６と、装置８００をインターネットに接続させるように配置された有線又は無線インターネットインターフェース８５０と、入力/出力（Ｉ/Ｏ）インターフェース１９５８とを備えてもよい。装置８００はメモリ８３２に記憶された操作システム、例えばＷｉｎｄｏｗｓ（登録商標） ＳｅｒｖｅｒＴＭ、Ｍａｃ ＯＳ ＸＴＭ、Ｕｎｉｘ（登録商標）ＴＭ, Ｌｉｎｕｘ（登録商標）ＴＭ、ＦｒｅｅＢＳＤＴＭなどに基づいて操作できる。
【０３０５】
図９は、一例示的な実施例に係る目標機能のスターティングシステム９００の構造を示す説明図である。図９を参照すると、前記目標機能のスターティングシステム９００は、端末９１０及びサーバー９２０を備えてもよい。
【０３０６】
ここで、端末９１０は、図５-１又は図７に示された目標機能のスターティング装置を備える。
【０３０７】
サーバー９２０は、図６又は図８に示された目標機能のスターティング装置を備える。
【０３０８】
以上を纏めると、本発明の実施例に係る目標機能のスターティングシステムによれば、端末は、目標機能に関連するプリセットトリガー命令を受信し、プリセットトリガー命令によって目標機能のトリガーボタンを表示し、目標機能のトリガーボタンをトリガーして生成されるスターティング命令を受信し、スターティング命令によって目標機能をスターティングすることができる。これによって、フォアグラウンドでクライアントにログインする必要がなくなり、制御インターフェースに入ると、目標機能をスターティングすることができて、関連技術に存在する目標機能のスターティング過程が複雑な問題を解決でき、目標機能のスターティング過程を簡素化する効果に達することができる。
【０３０９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、ただ例示的なものであって、本発明の本当の範囲と主旨は、以下の特許請求の範囲によって示される。
【０３１０】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【０３１１】
本願は、出願番号が２０１５１０４６３３２７.７であって、出願日が２０１５年７月３１日である中国特許出願を基礎として優先権を主張し、当該中国特許出願の内容の全体を本願に援用する。
【手続補正２】
【補正対象書類名】特許請求の範囲
【補正対象項目名】全文
【補正方法】変更
【補正の内容】
【特許請求の範囲】
【請求項１】
目標機能に関連するプリセットトリガー命令を受信するステップと、
前記プリセットトリガー命令によって前記目標機能のトリガーボタンを表示するステップと、
前記目標機能のトリガーボタンをトリガーして生成されるスターティング命令を受信するステップと、
前記スターティング命令によって前記目標機能をスターティングするステップと、を含むことを特徴とする目標機能のスターティング方法。
【請求項２】
前記目標機能に関連するプリセットトリガー命令を受信するステップは、
端末のスクリーンに対する、プリセットグリップジェスチャー命令及びプリセットボタン操作命令のうちいずれか一つを含むウェイクアップ命令を受信するステップと、
前記ウェイクアップ命令によって前記端末のスクリーンをウェイクアップさせながら、スクリーンロックインターフェースを表示するステップと、
前記スクリーンロックインターフェースにおいて、前記目標機能に関連するプリセットトリガー命令を受信するステップと、を含み、
前記プリセットグリップジェスチャー命令は、プリセットグリップジェスチャーで、前記端末をグリップすることにより生成される命令であり、前記プリセットボタン操作命令は、プリセットタッチジェスチャーで、前記端末のウェイクアップボタンをトリガーすることにより生成される命令であることを特徴とする請求項１に記載の目標機能のスターティング方法。
【請求項３】
前記プリセットトリガー命令によって前記目標機能のトリガーボタンを表示するステップは、
前記目標機能を備える目標機器に関連するクライアントでログインするユーザーＩＤを取得するステップと、
サーバーから前記ユーザーＩＤとバインディングされる目標機器の目標機能の表示情報を取得するステップと、
前記目標機能の表示情報によって、前記目標機能のトリガーボタンを表示するステップと、を含むことを特徴とする請求項１又は２に記載の目標機能のスターティング方法。
【請求項４】
前記サーバーから前記ユーザーＩＤとバインディングされる目標機器の目標機能の表示情報を取得するステップは、
前記ユーザーＩＤによって代替機能集合中の各機能の機能表示情報を確定する前記サーバーに、前記ユーザーＩＤを送信するステップと、
前記サーバーが送信する前記代替機能集合中の各機能の機能表示情報を受信するステップと、を含み、
前記代替機能集合は、前記ユーザーＩＤとバインディングされる機器が備える機能の集合であり、前記代替機能集合は前記目標機器の目標機能を含み、
前記目標機能の表示情報によって、前記目標機能のトリガーボタンを表示するステップは、
前記代替機能集合中の各機能の機能表示情報によって、前記代替機能集合中の各機能のトリガーボタンを表示するステップを含むことを特徴とする請求項３に記載の目標機能のスターティング方法。
【請求項５】
前記サーバーから前記ユーザーＩＤとバインディングされる目標機器の目標機能の表示情報を取得するステップは、
事前に記憶なれたトリガー命令と機器の機能識別子との対応関係を照会して、前記プリセットトリガー命令に対応する機器の機能識別子を、前記目標機器の機器識別子及び前記目標機能の識別子を含む目標識別子とするステップと、
前記ユーザーＩＤによって前記ユーザーＩＤに対応する関係リストを確定する前記サーバーに、前記ユーザーＩＤ及び前記目標識別子を送信するステップと、
前記サーバーが送信する、前記目標識別子に対応する目標機能の表示情報を受信するステップと、含み、
前記関係リストは、事前に確立された機器の機能識別子と機能表示情報との対応関係を記録し、
前記目標識別子に対応する目標機能の表示情報は、前記サーバーが前記関係リストを照会して確定されるものであることを特徴とする請求項３に記載の目標機能のスターティング方法。
【請求項６】
前記サーバーから前記ユーザーＩＤとバインディングされる目標機器の目標機能の表示情報を取得するステップは、
事前に記憶なれたトリガー命令と機器識別子との対応関係を照会して、前記プリセットトリガー命令に対応する機器識別子を前記目標機器の機器識別子とするステップと、
前記ユーザーＩＤによって前記ユーザーＩＤに対応する関係リストを確定する前記サーバーに、前記ユーザーＩＤ及び前記目標機器の機器識別子を送信するステップと、
前記サーバーが送信する、前記目標機器の機器識別子に対応する機能表示情報を受信するステップと、を含み、
前記関係リストは、事前に確立された機器識別子と機能表示情報との対応関係を記録し、
前記目標機器の機器識別子に対応する機能表示情報は、前記サーバーが前記関係リストを照会して確定されるものであり、
前記目標機能の表示情報によって、前記目標機能のトリガーボタンを表示するステップは、
前記目標機器の機器識別子に対応する機能表示情報によって、前記目標機器の機器識別子に対応する機能のトリガーボタンを表示するステップを含み、前記目標機器の機器識別子に対応する機能のトリガーボタンは前記目標機能のトリガーボタンを含むことを特徴とする請求項３に記載の目標機能のスターティング方法。
【請求項７】
前記サーバーから前記ユーザーＩＤとバインディングされる目標機器の目標機能の表示情報を取得するステップは、
前記ユーザーＩＤによって前記ユーザーＩＤとバインディングされる機器の機器識別子リストを確定する前記サーバーに、前記ユーザーＩＤを送信するステップと、
前記サーバーが送信する、前記ユーザーＩＤとバインディングされる機器の機器識別子リストを受信するステップと、を含み、
前記機器識別子リストには、前記目標機器の機器識別子及び前記目標機能の表示情報が含まれ、
前記目標機能の表示情報によって、前記目標機能のトリガーボタンを表示するステップは、
前記目標識別子リストを表示するステップを含み、ここで、前記目標機能の表示情報は、前記目標機能のトリガーボタンの形式で表示されることを特徴とする請求項３に記載の目標機能のスターティング方法。
【請求項８】
前記サーバーから前記ユーザーＩＤとバインディングされる目標機器の目標機能の表示情報を取得するステップは、
前記ユーザーＩＤによって前記ユーザーＩＤとバインディングされる機器の機器識別子リストを確定する前記サーバーに、前記ユーザーＩＤを送信するステップと、
前記サーバーが送信する、前記ユーザーＩＤとバインディングされる機器の機器識別子リストを受信するステップと、
前記機器識別子リストを表示するステップと、
前記目標機器の機器識別子をトリガーして生成されるタッチ命令を受信するステップと、
前記タッチ命令によって前記目標機器の機器識別子に対応する制御インターフェースの表示情報を確定するサーバーに、前記タッチ命令を送信するステップと、
前記サーバーが送信する前記制御インターフェースの表示情報を受信するステップと、を含み、
前記機器識別子のリストには、前記目標機器の機器識別子が含まれ、
前記制御インターフェースの表示情報には、前記目標機能の表示情報が含まれ、
前記目標機能の表示情報によって、前記目標機能のトリガーボタンを表示するステップは、
前記制御インターフェースの表示情報によって、前記目標機能のトリガーボタンを含む前記制御インターフェースを表示することを特徴とする請求項３に記載の目標機能のスターティング方法。
【請求項９】
前記目標機器はカメラであり、前記目標機能はトークバック機能であることを特徴とする請求項１乃至８のいずれか１項に記載の目標機能のスターティング方法。
【請求項１０】
端末が送信するユーザーＩＤを受信するステップと、
前記ユーザーＩＤとバインディングされる目標機器の目標機能の表示情報を取得するステップと、
前記端末に前記目標機能の表示情報を送信するステップと、を含み、
前記ユーザーＩＤは、前記端末が目標機能に関連するプリセットトリガー命令を受信した後送信するものであり、前記ユーザーＩＤは目標機器に関連するクライアントでログインするユーザーＩＤであり、前記目標機器は前記目標機能を備え、
前記端末は、前記目標機能の表示情報によって目標機能のトリガーボタンを表示し、前記目標機能のトリガーボタンをトリガーして生成されるスターティング命令によって前記目標機能をスターティングすることを特徴とする目標機能のスターティング方法。
【請求項１１】
前記ユーザーＩＤとバインディングされる目標機器の目標機能の表示情報を取得するステップは、
前記ユーザーＩＤによって代替機能集合中の各機能の表示情報を確定するステップを含み、前記代替機能集合は、前記ユーザーＩＤとバインディングされる機器が備える機能の集合であり、前記代替機能集合は前記目標機器の目標機能を含み、
前記端末に前記目標機能の表示情報を送信するステップは、
前記代替機能集合中の各機能の機能表示情報によって、前記代替機能集合中の各機能のトリガーボタンを表示する前記端末に、前記代替機能集合中の各機能の表示情報を送信するステップを含むことを特徴とする請求項１０に記載の目標機能のスターティング方法。
【請求項１２】
前記ユーザーＩＤとバインディングされる目標機器の目標機能の表示情報を取得するステップは、
前記端末が送信する前記ユーザーＩＤ及び目標識別子を受信するステップと、
前記ユーザーＩＤによって前記ユーザーＩＤに対応する関係リストを確定するステップと、
前記関係リストを照会して、前記目標識別子に対応する目標機能の表示情報を確定するステップと、を含み、
前記目標識別子は、前記端末が前記プリセットトリガー命令によって、事前に記憶なれたトリガー命令と機器の機能識別子との対応関係を照会して取得したものであり、前記目標識別子は、前記目標機器の機器識別子及び前記目標機能の識別子を含み、
前記関係リストは、事前に確立された機器の機能識別子と機能表示情報との対応関係を記録することを特徴とする請求項１０に記載の目標機能のスターティング方法。
【請求項１３】
前記ユーザーＩＤとバインディングされる目標機器の目標機能の表示情報を取得するステップは、
前記端末が送信する前記ユーザーＩＤ及び前記目標機器の機器識別子を受信するステップと、
前記ユーザーＩＤによって前記ユーザーＩＤに対応する関係リストを確定するステップと、
前記関係リストを照会して、前記目標機器の機器識別子に対応する機能表示情報を確定するステップと、を含み、
前記目標機器の機器識別子は、前記端末が前記プリセットトリガー命令によって、事前に記憶なれたトリガー命令と機器識別子との対応関係を照会して取得したものであり、
前記関係リストは、事前に確立された機器識別子と機能表示情報との対応関係を記録し、
前記端末に前記目標機能の表示情報を送信するステップは、
前記目標機器の機器識別子に対応する機能表示情報によって、前記目標機器の機器識別子に対応する機能のトリガーボタンを表示する前記端末に、前記目標機器の機器識別子に対応する機能表示情報を送信するステップを含み、前記目標機器の機器識別子に対応する機能のトリガーボタンは、前記目標機能のトリガーボタンを含むことを特徴とする請求項１０に記載の目標機能のスターティング方法。
【請求項１４】
前記ユーザーＩＤとバインディングされる目標機器の目標機能の表示情報を取得するステップは、
前記ユーザーＩＤによって前記ユーザーＩＤとバインディングされる機器の機器識別子リストを確定するステップを含み、前記機器識別子リストには、前記目標機器の機器識別子及び前記目標機能の表示情報が含まれ、
前記端末に前記目標機能の表示情報を送信するステップは、
前記機器識別子リストを表示する前記端末に前記ユーザーＩＤとバインディングされる機器の機器識別子リストを送信するステップを含み、ここで、前記目標機能の表示情報は、前記目標機能のトリガーボタンの形式で表示されることを特徴とする請求項１０に記載の目標機能のスターティング方法。
【請求項１５】
前記ユーザーＩＤとバインディングされる目標機器の目標機能の表示情報を取得するステップは、
前記ユーザーＩＤによって前記ユーザーＩＤとバインディングされる機器の機器識別子リストを確定するステップと、
前記機器識別子リストを表示し、前記目標機器の機器識別子をトリガーして生成されるタッチ命令を受信する前記端末に、前記機器識別子リストを送信するステップと、
前記端末が送信する前記タッチ命令を受信するステップと、
前記タッチ命令によって前記目標機器の機器識別子に対応する制御インターフェースの表示情報を確定するステップと、を含み、
前記機器識別子リストには、前記目標機器の機器識別子が含まれ、
前記制御インターフェースの表示情報には、目標機能の表示情報が含まれ、
前記端末に前記目標機能の表示情報を送信するステップは、
前記制御インターフェースの表示情報によって、前記制御インターフェースを表示する前記端末に、前記制御インターフェースの表示情報を送信するステップを含み、前記制御インターフェースは、前記目標機能のトリガーボタンを含むことを特徴とする請求項１０に記載の目標機能のスターティング方法。
【請求項１６】
前記目標機器はカメラであり、前記目標機能はトークバック機能であることを特徴とする請求項１０乃至１５のいずれか１項に記載の目標機能のスターティング方法。
【請求項１７】
目標機能に関連するプリセットトリガー命令を受信するように構成される第１の受信モジュールと、
前記プリセットトリガー命令によって前記目標機能のトリガーボタンを表示するように構成される表示モジュールと、
前記目標機能のトリガーボタンをトリガーして生成されるスターティング命令を受信するように構成される第２の受信モジュールと、
前記スターティング命令によって前記目標機能をスターティングするように構成されるスターティングモジュールと、を備えることを特徴とする目標機能のスターティング装置。
【請求項１８】
前記第１の受信モジュールは、端末のスクリーンに対する、プリセットグリップジェスチャー命令及びプリセットボタン操作命令のうちいずれか一つを含むウェイクアップ命令を受信し、前記ウェイクアップ命令によって前記端末のスクリーンをウェイクアップさせながら、スクリーンロックインターフェースを表示し、前記スクリーンロックインターフェースにおいて、前記目標機能に関連するプリセットトリガー命令を受信するように構成され、
前記プリセットグリップジェスチャー命令は、プリセットグリップジェスチャーで、前記端末をグリップすることにより生成される命令であり、前記プリセットボタン操作命令は、プリセットタッチジェスチャーで、前記端末のウェイクアップボタンをトリガーすることにより生成される命令であることを特徴とする請求項１７に記載の目標機能のスターティング装置。
【請求項１９】
前記表示モジュールは、
前記目標機能を備える目標機器に関連するクライアントでログインするユーザーＩＤを取得するように構成される第１の取得サブモジュールと、
サーバーから前記ユーザーＩＤとバインディングされる目標機器の目標機能の表示情報を取得するように構成される第２の取得サブモジュールと、
前記目標機能の表示情報によって、前記目標機能のトリガーボタンを表示するように構成される表示サブモジュールと、を備えることを特徴とする請求項１７又は１８に記載の目標機能のスターティング装置。
【請求項２０】
前記第２の取得サブモジュールは、前記ユーザーＩＤによって代替機能集合中の各機能の機能表示情報を確定する前記サーバーに前記ユーザーＩＤを送信し、前記サーバーが送信する前記代替機能集合中の各機能の機能表示情報を受信するように構成され、前記代替機能集合は、前記ユーザーＩＤとバインディングされる機器が備える機能の集合であり、前記代替機能集合は前記目標機器の目標機能を含み、
前記表示サブモジュールは、前記代替機能集合中の各機能の機能表示情報によって、前記代替機能集合中の各機能のトリガーボタンを表示するように構成されることを特徴とする請求項１９に記載の目標機能のスターティング装置。
【請求項２１】
前記第２の取得サブモジュールは、事前に記憶なれたトリガー命令と機器の機能識別子との対応関係を照会して、前記プリセットトリガー命令に対応する機器の機能識別子を、前記目標機器の機器識別子及び前記目標機能の識別子を含む目標識別子とし、前記ユーザーＩＤによって前記ユーザーＩＤに対応する関係リストを確定する前記サーバーに、前記ユーザーＩＤ及び前記目標識別子を送信し、前記サーバーが送信する前記目標識別子に対応する目標機能の表示情報を受信するように構成され、前記関係リストは、事前に確立された機器の機能識別子と機能表示情報との対応関係を記録し、前記目標識別子に対応する目標機能の表示情報は、前記サーバーが前記関係リストを照会して確定されるものであることを特徴とする請求項１９に記載の目標機能のスターティング装置。
【請求項２２】
前記第２の取得サブモジュールは、事前に記憶なれたトリガー命令と機器識別子との対応関係を照会して、前記プリセットトリガー命令に対応する機器識別子を前記目標機器の機器識別子とし、前記ユーザーＩＤによって前記ユーザーＩＤに対応する関係リストを確定する前記サーバーに、前記ユーザーＩＤ及び前記目標機器の機器識別子を送信し、前記サーバーが送信する前記目標機器の機器識別子に対応する機能表示情報を受信するように構成され、前記関係リストは、事前に確立された機器識別子と機能表示情報との対応関係を記録し、前記目標機器の機器識別子に対応する機能表示情報は、前記サーバーが前記関係リストを照会して確定されるものであり、
前記表示サブモジュールは、前記目標機器の機器識別子に対応する機能表示情報によって、前記目標機器の機器識別子に対応する機能のトリガーボタンを表示するように構成され、前記目標機器の機器識別子に対応する機能のトリガーボタンは、前記目標機能のトリガーボタンを含むことを特徴とする請求項１９に記載の目標機能のスターティング装置。
【請求項２３】
前記第２の取得サブモジュールは、前記ユーザーＩＤによって前記ユーザーＩＤとバインディングされる機器の機器識別子リストを確定する前記サーバーに前記ユーザーＩＤを送信し、前記サーバーが送信する、前記ユーザーＩＤとバインディングされる機器の機器識別子リストを受信するように構成され、前記機器識別子リストには、前記目標機器の機器識別子及び前記目標機能の表示情報が含まれ、
前記表示サブモジュールは、前記目標識別子リストを表示するように構成され、ここで、前記目標機能の表示情報は、前記目標機能のトリガーボタンの形式で表示されることを特徴とする請求項１９に記載の目標機能のスターティング装置。
【請求項２４】
前記第２の取得サブモジュールは、前記ユーザーＩＤによって前記ユーザーＩＤとバインディングされる機器の機器識別子リストを確定する前記サーバーに前記ユーザーＩＤを送信し、前記サーバーが送信する前記ユーザーＩＤとバインディングされる機器の機器識別子リストを受信して、前記機器識別子リストを表示し、前記目標機器の機器識別子をトリガーして生成されるタッチ命令を受信して、前記タッチ命令によって前記目標機器の機器識別子に対応される制御インターフェースの表示情報を確定するサーバーに前記タッチ命令を送信するように構成され、前記機器識別子のリストには、前記目標機器の機器識別子が含まれ、前記制御インターフェースの表示情報には、前記目標機能の表示情報が含まれ、
前記表示サブモジュールは、前記制御インターフェースの表示情報によって、前記目標機能のトリガーボタンを含む前記制御インターフェースを表示するように構成されることを特徴とする請求項１９に記載の目標機能のスターティング装置。
【請求項２５】
前記目標機器はカメラであり、前記目標機能はトークバック機能であることを特徴とする請求項１７乃至２４のいずれか１項に記載の目標機能のスターティング装置。
【請求項２６】
端末が送信するユーザーＩＤを受信するように構成される受信モジュールと、
前記ユーザーＩＤとバインディングされる目標機器の目標機能の表示情報を取得するように構成される取得モジュールと、
前記端末に前記目標機能の表示情報を送信するように構成される送信モジュールと、を備え、
前記ユーザーＩＤは、前記端末が目標機能に関連するプリセットトリガー命令を受信した後送信するものであり、前記ユーザーＩＤは目標機器に関連するクライアントでログインするユーザーＩＤであり、前記目標機器は前記目標機能を備え、
前記端末は、前記目標機能の表示情報によって目標機能のトリガーボタンを表示し、前記目標機能のトリガーボタンをトリガーして生成されるスターティング命令によって前記目標機能をスターティングすることを特徴とする目標機能のスターティング装置。
【請求項２７】
前記取得モジュールは、前記ユーザーＩＤによって、代替機能集合中の各機能の表示情報を確定するように構成され、前記代替機能集合は、前記ユーザーＩＤとバインディングされる機器が備える機能の集合であり、前記代替機能集合は前記目標機器の目標機能を含み、
前記送信モジュールは、前記代替機能集合中の各機能の機能表示情報によって、前記代替機能集合中の各機能のトリガーボタンを表示する前記端末に、前記代替機能集合中の各機能の表示情報を送信するように構成されることを特徴とする請求項２６に記載の目標機能のスターティング装置。
【請求項２８】
前記取得モジュールは、前記端末が送信する前記ユーザーＩＤ及び目標識別子を受信し、前記ユーザーＩＤによって前記ユーザーＩＤに対応する関係リストを確定し、前記関係リストを照会して、前記目標識別子に対応される目標機能の表示情報を確定するように構成され、前記目標識別子は、前記端末が前記プリセットトリガー命令によって、事前に記憶なれたトリガー命令と機器の機能識別子との対応関係を照会して取得したものであり、前記目標識別子は、前記目標機器の機器識別子及び前記目標機能の識別子を含み、前記関係リストは、事前に確立された機器の機能識別子と機能表示情報との対応関係を記録することを特徴とする請求項２６に記載の目標機能のスターティング装置。
【請求項２９】
前記取得モジュールは、前記端末が送信する前記ユーザーＩＤ及び前記目標機器の機器識別子を受信し、前記ユーザーＩＤによって前記ユーザーＩＤに対応する関係リストを確定し、前記関係リストを照会して前記目標機器の機器識別子に対応する機能表示情報を確定するように構成され、前記目標機器の機器識別子は、前記端末が前記プリセットトリガー命令によって、事前に記憶なれたトリガー命令と機器識別子との対応関係を照会して取得したものであり、前記関係リストは、事前に確立された機器識別子と機能表示情報との対応関係を記録し、
前記送信モジュールは、前記目標機器の機器識別子に対応する機能表示情報によって、前記目標機器の機器識別子に対応する機能のトリガーボタンを表示する前記端末に、前記目標機器の機器識別子に対応する機能表示情報を送信するように構成され、前記目標機器の機器識別子に対応する機能のトリガーボタンは、前記目標機能のトリガーボタンを含むことを特徴とする請求項２６に記載の目標機能のスターティング装置。
【請求項３０】
前記取得モジュールは、前記ユーザーＩＤによって前記ユーザーＩＤとバインディングされる機器の機器識別子リストを確定するように構成され、前記機器識別子リストには、前記目標機器の機器識別子及び前記目標機能の表示情報が含まれ、
前記送信モジュールは、前記機器識別子リストを表示する前記端末に前記ユーザーＩＤとバインディングされる機器の機器識別子リストを送信するように構成され、ここで、前記目標機能の表示情報は、前記目標機能のトリガーボタンの形式で表示されることを特徴とする請求項２６に記載の目標機能のスターティング装置。
【請求項３１】
前記取得モジュールは、前記ユーザーＩＤによって前記ユーザーＩＤとバインディングされる機器の機器識別子リストを確定し、前記機器識別子リストを表示し、前記目標機器の機器識別子をトリガーして生成されるタッチ命令を受信する前記端末に、前記機器識別子リストを送信し、前記端末が送信する前記タッチ命令を受信して、前記タッチ命令によって前記目標機器の機器識別子に対応する制御インターフェースの表示情報を確定するように構成され、前記機器識別子リストには、前記目標機器の機器識別子が含まれ、前記制御インターフェースの表示情報には、目標機能の表示情報が含まれ、
前記送信モジュールは、前記制御インターフェースの表示情報によって、前記制御インターフェースを表示する前記端末に、前記制御インターフェースの表示情報を送信するように構成され、前記制御インターフェースは、前記目標機能のトリガーボタンを含むことを特徴と請求項２６に記載の目標機能のスターティング装置。
【請求項３２】
前記目標機器はカメラであり、前記目標機能はトークバック機能であることを特徴とする請求項２６乃至３１のいずれか１項に記載の目標機能のスターティング装置。
【請求項３３】
プロセッサーと、
前記プロセッサーによって実行可能な命令を記憶するメモリと、を備え、
ここで、プロセッサーは、
目標機能に関連するプリセットトリガー命令を受信し、
前記プリセットトリガー命令によって前記目標機能のトリガーボタンを表示し、
前記目標機能のトリガーボタンをトリガーして生成されるスターティング命令を受信し、
前記スターティング命令によって前記目標機能をスターティングするように構成されることを特徴とする目標機能のスターティング装置。
【請求項３４】
プロセッサーと、
前記プロセッサーによって実行可能な命令を記憶するメモリと、を備え、
ここで、プロセッサーは、
端末が送信するユーザーＩＤを受信し、
前記ユーザーＩＤとバインディングされる目標機器の目標機能の表示情報を取得し、
前記端末に前記目標機能の表示情報を送信するように構成され、
前記ユーザーＩＤは、前記端末が目標機能に関連するプリセットトリガー命令を受信した後送信するものであり、前記ユーザーＩＤは目標機器に関連するクライアントでログインするユーザーＩＤであり、前記目標機器は前記目標機能を備え、
前記端末は、前記目標機能の表示情報によって目標機能のトリガーボタンを表示し、前記目標機能のトリガーボタンをトリガーして生成されるスターティング命令によって前記目標機能をスターティングすることを特徴とする目標機能のスターティング装置。
【請求項３５】
端末及びサーバーを備え、
前記端末は、請求項１７乃至２５のいずれか１項に記載の目標機能のスターティング装置を備え、
前記サーバーは、請求項２６乃至３２のいずれか１項に記載の目標機能のスターティング装置を備えることを特徴とする目標機能のスターティングシステム。
【請求項３６】
端末及びサーバーを備え、
前記端末は、請求項３３に記載の目標機能のスターティング装置を備え、
前記サーバーは、請求項３４に記載の目標機能のスターティング装置を備えることを特徴とする目標機能のスターティングシステム。
【請求項３７】
プロセッサーに実行されることにより、請求項１乃至１６のいずれか１項に記載の目標機能のスターティング方法を実現する、コンピュータ読取可能な記録媒体に記録されたプログラム。
【請求項３８】
請求項３７に記載のプログラムが記録されたコンピュータ読取可能な記録媒体。